(57)【要約】インターレース効果が効果的に防止されるような態様で、トリック再生に使用するのに適した圧縮されたビデオ信号を発生する方法が記載されている。第１実施例においては、少なくとも１つの空繰り返し画像を発生することにより、画像が繰り返し表示され、その場合において、最初の空繰り返し画像は、トップフィールド（Ｔ２）に対して及びボトムフィールド（Ｂ２）に対してボトムフィールドメモリ（ＭＢ）を参照するようなインターレース除去画像（Ｅ２（ＲＴ→Ｂ；ＲＢ→Ｂ））である。フィールド型符号化ビデオシーケンスの場合に適用可能な第２実施例においては、元の画像（Ｘ１）のボトムフィールド（ＢＩ１）が、トップフィールドメモリ（ＭＴ）を参照するような空繰り返しフィールド（ＥＢ（ＲＢ→Ｔ））により置換される。
2004521559.tif 000002
【特許請求の範囲】
【請求項１】
少なくとも１つの空画像、即ち符号化されたマクロブロックを有さない画像を含む符号化されたビデオ信号。
【請求項２】
請求項１に記載の符号化されたビデオ信号において、前記空画像は、インターレース効果を除去するために、復号に際して、この空画像の各フィールドが該空画像が参照するアンカ画像の時間的に最も近いフィールドの繰り返し表示を生じさせるように構成されていることを特徴とする符号化されたビデオ信号。
【請求項３】
請求項１に記載の符号化されたビデオ信号において、前記空画像は、復号に際して前のアンカ画像の繰り返し表示を生じさせるような空繰り返し画像であることを特徴とする符号化されたビデオ信号。
【請求項４】
請求項３に記載の符号化されたビデオ信号において、前記空繰り返し画像は、インターレース効果を除去するために、第２フィールドを参照する第１フィールド参照情報（ＲＴ→Ｂ）を有していることを特徴とする符号化されたビデオ信号。
【請求項５】
請求項１に記載の符号化されたビデオ信号において、前記空画像は、復号に際して未来のアンカ画像の繰り返し表示を生じさせるような空プリビュー画像であることを特徴とする符号化されたビデオ信号。
【請求項６】
請求項５に記載の符号化されたビデオ信号において、前記空プリビュー画像は、インターレース効果を除去するために、第１フィールドを参照する第２フィールド参照情報（ＲＢ→Ｔ）を有していることを特徴とする符号化されたビデオ信号。
【請求項７】
請求項１に記載の符号化されたビデオ信号において、前記空画像は、復号に際して前のアンカ画像のフィールドの繰り返し表示に続いて未来のアンカ画像のフィールドのプリビュー表示を生じさせるような空繰り返し／プリビュー画像であることを特徴とする符号化されたビデオ信号。
【請求項８】
請求項７に記載の符号化されたビデオ信号において、前記空繰り返し／プリビュー画像は、インターレース効果を除去するために、第２フィールドを参照する第１フィールド参照情報（ＲＴ→Ｂ）及び第１フィールドを参照する第２フィールド参照情報（ＲＢ→Ｔ）を有していることを特徴とする符号化されたビデオ信号。
【請求項９】
請求項１に記載の符号化されたビデオ信号において、前記空画像は、復号に際して前のアンカ画像と未来のアンカ画像との間の補間の表示を生じさせるような空補間画像であることを特徴とする符号化されたビデオ信号。
【請求項１０】
請求項９に記載の符号化されたビデオ信号において、前記空補間画像は、インターレース効果を除去するために、前記前のアンカ画像の第２フィールドと前記未来のアンカ画像の第１フィールドとの間の補間の表示を２回生じさせるように設計されていることを特徴とする符号化されたビデオ信号。
【請求項１１】
Ｉ符号化された第１フィールドを有すると共に、該第１フィールドを参照する第２フィールド参照情報（ＲＢ→Ｔ）を備えるＰ符号化された空繰り返し第２フィールドを有しているような少なくとも１つの画像を含む符号化されたビデオ信号。
【請求項１２】
圧縮されたビデオ信号を、元のビデオシーケンスに基づいて好ましくはＭＰＥＧ−２フォーマットに従って発生する方法であって、復号及び表示に際して該発生された圧縮されたビデオ信号が前記元のビデオシーケンスの速度とは異なる速度での表示となるような方法において、該方法が、
−  元のビデオシーケンスから、元のイントラ符号化された（Ｉ型の）画像又は予測符号化された（Ｐ型の）画像を抽出するステップと、
−  符号化された空画像を発生して、前記抽出された元の画像の後に追加するステップと、
を有していることを特徴とする方法。
【請求項１３】
請求項１２に記載の方法において、前記空画像は空繰り返し画像であり、追加された該空繰り返し画像は、復号に際して、前記元の画像の復号に際して表示される画像の少なくとも一部の繰り返し表示を生じさせるようなものであることを特徴とする方法。
【請求項１４】
請求項１３に記載の方法において、前記空繰り返し画像は第２フィールドメモリを参照する第１フィールド参照情報及び同じ前記第２フィールドメモリを参照する第２フィールド参照情報を有し、これにより、復号に際して前記元の画像の第１フィールド画像が１回表示され、続いて前記元の画像の第２フィールド画像が３回表示されることを特徴とする方法。
【請求項１５】
請求項１３又は請求項１４に記載の方法において、少なくとも１つの他の空繰り返し画像が発生され、前記空繰り返し画像の後に追加されることを特徴とする方法。
【請求項１６】
請求項１５に記載の方法において、前記第１空繰り返し画像は予測符号化された（Ｐ型の）画像であり、前記他の空繰り返し画像は、第１フィールドメモリを参照する第１フィールド参照情報及び第２フィールドメモリを参照する第２フィールド参照情報を含むような空の予測符号化された（Ｐ型の）画像であることを特徴とする方法。
【請求項１７】
請求項１５に記載の方法において、前記第１空繰り返し画像は予測符号化された（Ｐ型の）画像であり、前記他の空繰り返し画像は、第１フィールドメモリ又は第２フィールドメモリを参照する第１フィールド参照情報及び第２フィールドメモリを参照する第２フィールド参照情報を含むような空の双方向予測符号化された（Ｂ型の）画像であることを特徴とする方法。
【請求項１８】
請求項１５に記載の方法において、前記第１空繰り返し画像は双方向予測符号化された（Ｂ型の）画像であり、前記他の空繰り返し画像は前記第１空繰り返し画像と同一であることを特徴とする方法。
【請求項１９】
請求項１２に記載の方法において、前記空画像は空プリビュー画像であり、追加された該空プリビュー画像は、復号に際して、前記元の画像の復号に際して表示される未来の画像の少なくとも一部のプリビュー表示を生じさせるようなものであることを特徴とする方法。
【請求項２０】
請求項１９に記載の方法において、前記空プリビュー画像は第１フィールドメモリを参照する第１フィールド参照情報及び同じ前記第１フィールドメモリを参照する第２フィールド参照情報を有し、これにより、復号及び表示に際して前記元の画像の第１フィールド画像が３回表示され、続いて前記元の画像の第２フィールド画像が１回表示されることを特徴とする方法。
【請求項２１】
請求項１９又は請求項２０に記載の方法において、少なくとも１つの他の空プリビュー画像が発生され、前記空プリビュー画像の後に追加されることを特徴とする方法。
【請求項２２】
請求項２１に記載の方法において、前記第１空プリビュー画像は双方向予測符号化された（Ｂ型の）画像であり、前記他の空プリビュー画像は前記第１空プリビュー画像と同一であることを特徴とする方法。
【請求項２３】
圧縮されたビデオ信号を、元のビデオシーケンスに基づいて好ましくはＭＰＥＧ−２フォーマットに従って発生する方法であって、復号に際して該発生された圧縮されたビデオ信号が前記元のビデオシーケンスの速度とは異なる速度での表示となるような方法において、該方法が、
−  元のビデオシーケンスから、第１の元のイントラ符号化された（Ｉ型の）又は予測符号化された（Ｐ型の）画像を抽出するステップと、
−  前記元のビデオシーケンスから、第２の元のイントラ符号化された（Ｉ型の）又は予測符号化された（Ｐ型の）画像を抽出するステップと、
−  空画像を発生すると共に前記２つの抽出された元の画像の間に追加し、これにより、復号に際して前記追加された空画像が、前記第１の元の画像の復号に際して表示される画像の少なくとも一部の繰り返し表示と、前記第２の元の画像の復号に際して表示される未来の画像の少なくとも一部のプリビュー表示とを生じさせるステップと、
を有していることを特徴とする方法。
【請求項２４】
請求項２３に記載の方法において、前記空画像は第２フィールドメモリを参照する第１フィールド参照情報と第１フィールドメモリを参照する第２フィールド参照情報とを有し、これにより、復号に際して前記第１の元の画像の第２フィールド画像が２回表示され、続いて前記第２の元の画像の第１フィールド画像が２回表示されることを特徴とする方法。
【請求項２５】
圧縮されたビデオ信号を、元のビデオシーケンスに基づいて好ましくはＭＰＥＧ−２フォーマットに従って発生する方法であって、復号に際して前記発生された圧縮されたビデオ信号が前記元のビデオシーケンスの速度とは異なる速度での表示となるような方法において、該方法が、
−  元のビデオシーケンスから、元のイントラ符号化された（Ｉ型の）画像又は予測符号化された（Ｐ型の）画像を抽出するステップであって、この元の画像がフィールド型符号化されていると共に、元の第１フィールドと元の第２フィールドとを有するようなステップと、
−  前記元の第２フィールドを前記元の第１フィールドのコピーにより置換するステップと、
を有していることを特徴とする方法。
【請求項２６】
圧縮されたビデオ信号を、元のビデオシーケンスに基づいて好ましくはＭＰＥＧ−２フォーマットに従って発生する方法であって、復号に際して前記発生された圧縮されたビデオ信号が前記元のビデオシーケンスの速度とは異なる速度での表示となるような方法において、該方法が、
−  元のビデオシーケンスから、元のイントラ符号化された（Ｉ型の）画像又は予測符号化された（Ｐ型の）画像を抽出するステップであって、この元の画像がフィールド型符号化されていると共に、元の第１フィールドと元の第２フィールドとを有するようなステップと、
−  第１フィールドメモリに対する参照を有する個別に（フィールド型で）予測符号化された（Ｐ型の）空の第２フィールド画像を発生するステップと、
−  前記元の第２フィールドを前記発生された空の第２フィールド画像により置換し、これにより、復号及び表示に際して前記空の第２フィールド画像が前記元の画像の第１フィールド画像の繰り返し表示を生じさせるようなステップと、
を有していることを特徴とする方法。
【請求項２７】
請求項２５又は２６に記載の方法において、少なくとも１つの空繰り返し画像が発生されて、前記修正された第２フィールド画像の後に追加されることを特徴とする方法。
【請求項２８】
請求項２７に記載の方法において、前記空繰り返し画像の少なくとも１つが、第１フィールドメモリ又は第２フィールドメモリの何れかを参照する第１フィールド参照情報を含むと共に、前記第２フィールドメモリを参照する第２フィールド参照情報を含むような空予測符号化（Ｐ型）画像又は空双方向予測符号化（Ｂ型）画像の何れかであることを特徴とする方法。
【請求項２９】
請求項１２ないし２８の何れか一項に記載の方法において、
−  第１オリジナル画像が前記元のビデオシーケンスから抽出され、
−  第１空画像が発生されると共に、前記抽出された第１オリジナル画像の後に追加され、
−  第１所定数の他の空画像が発生されて、前記第１空画像の後に追加され、
−  第２オリジナル画像が前記元のビデオシーケンスから抽出され、
−  第２空画像が発生されると共に、前記抽出された第２オリジナル画像の後に追加され、
−  第２所定数の他の空画像が発生されて、前記第２空画像の後に追加され、
−  復号に際して、第１画像が前記第１所定数＋２回だけ繰り返し表示される一方、第２画像が前記第２所定数＋２回だけ繰り返し表示され、
−  前記第１所定数と前記第２所定数とが互いに相違する、
ことを特徴とする方法。
【請求項３０】
スローモーションシーケンスを発生するための請求項１２ないし２９の何れか一項に記載の方法において、前記元のビデオシーケンスの全てのオリジナル画像がスローモーション再生シーケンスを発生するために使用されることを特徴とする方法。
【請求項３１】
高速モーションシーケンスを発生するための請求項１２ないし２９の何れか一項に記載の方法において、前記元のビデオシーケンスの限られた数のオリジナル画像が高速モーション再生シーケンスを発生するために使用されることを特徴とする方法。
【請求項３２】
請求項３１に記載の方法において、前記元のビデオシーケンスのアンカ画像のみが高速モーション再生シーケンスを発生するために使用されることを特徴とする方法。
【請求項３３】
請求項３２に記載の方法において、前記元のビデオシーケンスのイントラ符号化されたアンカ画像のみが高速モーション再生シーケンスを発生するために使用されることを特徴とする方法。
【請求項３４】
元のビデオシーケンスを処理すると共に、復号に際して前記元のビデオシーケンスの通常速度とは異なる表示速度になるような圧縮されたビデオトリック再生信号を発生する装置において、該装置が請求項１２ないし３３の何れか一項に記載の方法を実行するように構成されていることを特徴とする装置。
【請求項３５】
請求項３４に記載の装置において、記録担体から前記元のビデオシーケンスを読み取るのに適し、且つ、前記発生されたビデオトリック再生信号を出力する出力端子を備えるようなプレーヤを有することを特徴とする装置。
【請求項３６】
請求項３５に記載の装置において、前記プレーヤの前記出力端子に接続された入力端子を備えるレコーダを更に有し、該レコーダは前記プレーヤにより発生された前記ビデオトリック再生信号を記録媒体上に記録するように構成されていることを特徴とする装置。
【請求項３７】
請求項３６に記載の装置において、前記プレーヤ及び前記レコーダが、１つの統合された記録再生装置として組み合わされていることを特徴とする装置。
【請求項３８】
請求項３４に記載の装置において、外部ソースから前記元のビデオシーケンスを受信する入力端子を備えると共に、前記発生されたビデオトリック再生信号を出力する出力端子を備えるような受信機を有し、
前記装置が、前記受信機の前記出力端子に接続される入力端子を備えるようなレコーダを更に有し、該レコーダが、前記受信機により発生された前記ビデオトリック再生信号を記録媒体上に記録するように構成されていることを特徴とする装置。
【請求項３９】
請求項３４に記載の装置において、前記元のビデオシーケンスをデジタルビデオ放送として受信する入力端子を備えると共に、前記発生されたビデオトリック再生信号を出力する出力端子を備えるような受信機を有し、
前記装置が、前記受信機の前記出力端子に接続される入力端子を備えるようなレコーダを更に有し、該レコーダが、前記受信機により発生された前記ビデオトリック再生信号を記録媒体上に記録するように構成されていることを特徴とする装置。
【請求項４０】
請求項３８又は請求項３９に記載の装置において、前記受信機及び前記レコーダが１つの統合ユニットとして組み合わされていることを特徴とする装置。
【請求項４１】
請求項３４又は請求項３５に記載の装置において、一時停止モードにおいて又は静止画モードにおいて空繰り返し画像のシーケンスを発生するように構成されていることを特徴とする装置。
【請求項４２】
請求項４１に記載の装置において、前記シーケンス内に、常に所定数の空繰り返し画像の後で、元のイントラ符号化画像を含めるように構成されていることを特徴とする装置。
【請求項４３】
記録された圧縮されたデジタルビデオトリック再生信号を担持している記録担体であって、該信号が、通常の再生において、元のビデオシーケンスの標準リフレッシュ率とは異なるリフレッシュ率を持つような表示となることを特徴とする記録担体。
【請求項４４】
請求項４３に記載の記録担体において、記録された圧縮されたデジタルビデオトリック再生信号を担持し、該信号が、通常の再生において、元のビデオシーケンスの標準リフレッシュ率とは異なるリフレッシュ率を持ち、如何なるインターレース効果も伴わないような表示となることを特徴とする記録担体。
【請求項４５】
請求項４３又は請求項４４に記載の記録担体において、該記録担体上に記録された前記圧縮されたデジタルビデオトリック再生信号が、請求項１ないし１１に記載の少なくとも１つのビデオ信号を有していることを特徴とする記録担体。
【請求項４６】
請求項４３又は請求項４４に記載の記録担体において、該記録担体上に記録された前記圧縮されたデジタルビデオトリック再生信号が、元のビデオシーケンスからの元のイントラ符号化された（Ｉ型の）又は予測符号化された（Ｐ型の）画像と後続する空繰り返し画像との少なくとも１つのシーケンスを有し、これにより、通常の再生速度における復号に際して前記空繰り返し画像が前記元の画像の像の少なくとも一部の繰り返し表示を生じさせることを特徴とする記録担体。
【請求項４７】
請求項４６に記載の記録担体において、前記空繰り返し画像はインターレース効果を除去するために第２フィールドに対する第１フィールド参照情報を有し、これにより、復号及び表示に際して前記元の画像の第１フィールド画像は１回表示され、続いて前記元の画像の第２フィールド画像が３回表示されることを特徴とする記録担体。
【請求項４８】
請求項４３又は請求項４４に記載の記録担体において、該記録担体上に記録された前記圧縮されたデジタルビデオトリック再生信号が、元のビデオシーケンスからの元のイントラ符号化された（Ｉ型の）又は予測符号化された（Ｐ型の）画像と先行する空プリビュー画像との少なくとも１つのシーケンスを有し、これにより、通常の再生速度における復号に際して前記空プリビュー画像が前記元の画像の未来の像の少なくとも一部のプリビュー表示を生じさせることを特徴とする記録担体。
【請求項４９】
請求項４８に記載の記録担体において、前記空プリビュー画像はインターレース効果を除去するために第１フィールドに対する第２フィールド参照情報を有し、これにより、復号に際して前記元の画像の第１フィールド画像が３回表示され、続いて前記元の画像の第２フィールド画像が１回表示されることを特徴とする記録担体。
【請求項５０】
請求項４３又は請求項４４に記載の記録担体において、該記録担体上に記録された前記圧縮されたデジタルビデオトリック再生信号が、元のビデオシーケンスからの第１の元のイントラ符号化された（Ｉ型の）又は予測符号化された（Ｐ型の）画像と、元のビデオシーケンスからの第２の元のイントラ符号化された（Ｉ型の）又は予測符号化された（Ｐ型の）画像と、空画像との少なくとも１つのシーケンスを有し、これにより、通常の再生速度における復号及び表示に際して前記空画像が前記第１の元の画像の復号に際して表示される像の少なくとも一部の繰り返し表示と、前記第２の元の画像の復号に際して表示される未来の像の少なくとも一部のプリビュー表示とを生じさせることを特徴とする記録担体。
【請求項５１】
請求項５０に記載の記録担体において、前記空画像はインターレース効果を除去するために第２フィールドメモリを参照する第１フィールド参照情報と、第１フィールドメモリを参照する第２フィールド参照情報とを有し、これにより、復号に際して前記第１の元の画像の第２フィールド画像が２回表示され、続いて前記第２の元の画像の第１フィールド画像が２回表示されることを特徴とする記録担体。
【発明の詳細な説明】
【技術分野】
【０００１】
本発明は、広くは、トリック再生に使用する圧縮されたビデオ信号を発生する技術分野に関する。
【背景技術】
【０００２】
普通に知られているように、従来のテレビジョン装置は、スクリーン上に水平ラインを書くことにより画像を表示する。スクリーン上の全ラインが組み合わさって、１つの画像フレームを規定する。斯かる画像フレームが表示される周波数は、一定値であり、使用されるフォーマットに依存する。例えば、ヨーロッパフォーマットにおいては、画像フレームの持続期間は１／２５秒である。
【０００３】
更に詳細には、表示の間において、偶数ラインが最初に書かれ、次いで奇数ラインが書かれる。偶数ラインの組み合わせは偶数画像フィールドを規定する一方、奇数ラインの組み合わせは奇数画像フィールドを規定する。この様に、各画像フレームは２つのインターレースされた画像フィールドを有する。画像フィールドレートは、ヨーロッパフォーマットにおいては１／５０秒である。一番上のラインを有するフィールドは“トップフィールド”とも呼ばれ、他のフィールドは“ボトムフィールド”とも呼ばれる。
【０００４】
テレビジョン装置が映画を正しく表示することができるためには、画像信号が、毎秒５０フィールドの表示に対応して、正しいレートでテレビジョン装置に送られなければならない。言い換えると、画像信号のソースは、これら信号を、各画像ピクセルのとりわけ輝度及びクロミナンスの情報を含む画像信号が当該テレビジョン装置により期待されるレート、即ちヨーロッパフォーマットでは毎秒５０フィールド、に対応するような形で発生する必要がある。
【０００５】
ビデオ信号は、例えばテープ上に記録することができる。アナログ信号記録に対して改善された品質を得るために、デジタル記録方法が開発された。関係するビットの量を大幅に低減するために、圧縮技術が開発された。確立された標準の符号化フォーマットは、ＭＰＥＧフォーマット、更に詳細にはＭＰＥＧ−２フォーマットである。この符号化フォーマットは当業者にとり公知であるので、この符号化フォーマットの詳細は、ここでは説明しない。完全のために、文献ISO/IEC13818-2を参照されたい。
【０００６】
圧縮技術は、いずれにしても人の目には見えないような細部に関する冗長情報の削除に基づくことができる。しかしながら、ＭＰＥＧ圧縮技術は更に進んでいる。ＭＰＥＧ構文によれば、画像は３つの異なる程度の圧縮を用いて符号化することができる。画像が、該画像が自身により復号することができるように符号化される場合、斯様な画像はイントラ符号化画像（Ｉ）と呼ばれる。斯様なＩ画像は依然として多数のビットを含むが、この画像を復号するために当該画像自身からの情報のみしか必要とされないという利点を提供する。
【０００７】
他のタイプの符号化においては、連続する画像が重要は非常に類似しており、主たる差はシーン内の動きにより生じるという事実が利用される。該動きを解析することにより、新たな画像の内容は、前の画像に基づいて予測することができる。斯様な新たな画像は単方向予測符号化画像（Ｐ）と呼ばれる。即ち、該画像は前のＩ又はＰ画像から動き補償予測を用いて符号化される。Ｐ画像として符号化された画像はＩ画像よりも少ないビットしか含まないが、斯様な画像が復号される場合は、前のＩ画像又はＰ画像からの情報も必要とされるであろう。
【０００８】
更に高い程度の圧縮は、画像を、所謂双方向予測符号化画像（Ｂ）として符号化することにより達成することができる。斯様な画像は、前の及び／又は未来のＰ画像又はＩ画像から動き補償予測を用いて符号化されるが、Ｂ画像は他の画像に対する基準画像としては使用することができない。
【０００９】
原理的には、ビデオシーケンスにおける全ての画像をＩ画像として符号化することができる。しかしながら、良好な画像品質が必要とされる場合、斯様なビデオシーケンスを伝送するためのビットレートは許容することができないくらい高いであろう。従って、ビデオシーケンスは、実際には、通常Ｉ画像及びＰ画像及びＢ画像を用いて符号化され、その場合において、Ｉ画像、Ｐ画像及びＢ画像は、平均ビットレートが適切な値になるように選択された所定のパターンに従って配列される。当該ビデオシーケンスがＩ画像及びＰ画像のみを含む場合は、符号化は“シンプルプロファイル”と呼ばれ、当該ビデオシーケンスがＢ画像も含む場合は、符号化は“メインプロファイル”と呼ばれる。
【００１０】
通常は、連続する画像の構造又はパターンは固定されている。もっとも、これはＭＰＥＧフォーマットには規定されていない。斯様な普通に使用されるパターンの一例は、繰り返してのＩＢＢＰＢＢＰＢＢＰＢＢである。次のＩ画像までの、Ｉ画像並びに全ての後続のＰ画像及びＢ画像の斯様な組み合わせは“画像群（ＧＯＰ）”と呼ばれる。ＧＯＰは、当該ＧＯＰ内の画像を復号するために前の又は次のＧＯＰからの情報が必要か否かに依存して“開”又は“閉”となり得る。
【００１１】
上に示したＧＯＰは、１つのＩ画像と、３つのＰ画像と、８つのＢ画像とを有している。斯様なＧＯＰに関連する全数のビットは、デコーダが平均して１２／２５秒内に１２フレームに対応するビット数を受信するような（ヨーロッパフォーマット）比較的低いビットレートで伝送することができる。これから、斯様なデコーダは１２画像を再生し、対応するビットデータを受信テレビジョン装置に１／２５秒の等しいタイムスロットで提供することができる。しかしながら、各ＧＯＰにおいては、Ｉ画像を符号化するために使用されるビット数は、当該ＧＯＰにおける全ビット数の大きな割合を占める。この様に、Ｉ画像に対応するビットの伝送は、１／２５秒よりも大幅に長く掛かり、これは、各々が１／２５秒より大幅に少なくしか掛からないであろうＰ画像及び特にＢ画像の伝送により相殺される。
【００１２】
符号化されたデジタルビデオシーケンスは、例えば磁気テープ又は磁気ディスク又は光ディスク等の適切な担体上に記録することができる。斯様な担体が通常の再生状況の間においてビデオプレーヤにより再生される場合、該プレーヤは一連のフレームを、ＭＰＥＧ構文における定義に対応するようなフレームレート及びビットレートで出力し、かくして、受信するデコーダは受信された信号をどの様に扱うか、即ち受信された信号をどの様に復号するか（標準のテレビジョン装置用の毎秒２５フレームのビデオ及び対応するオーディオを発生することができる等）が分かる。しかしながら、記録を、記録されたシーンが元の速度とは異なる速度で表示されるように再生することができることが望ましい。“トリック再生”とも呼ばれる斯様な状況は、例えば、高速順方向再生、スローモーション順方向再生、静止、スローモーション逆方向再生、逆方向再生通常速度、高速逆方向再生である。これらの効果は、アナログ記録によっては可能であるように、記録を通常の速度とは異なる速度で再生するだけでは達成することができない。全ての斯様なトリック再生状況においては、ビデオプレーヤはＭＰＥＧ規格に対応する圧縮されたデジタルビデオデータのシーケンスを、標準のデコーダが受信された信号を復号すると共にテレビジョン装置における更なる処理のためのデジタルビデオ信号を発生することができるように、発生しなければならない。このことは、とりわけ、プレーヤにより発生される符号化されたビデオ信号が、デジタルインターフェースのビットレート制限に従わなければならず、更に、ＭＰＥＧフォーマットに準拠しなければならないことを意味する。
【発明の開示】
【発明が解決しようとする課題】
【００１３】
本発明は、再生速度が通常の再生速度とは異なるような再生状況に特に関係する。
【課題を解決するための手段】
【００１４】
第１の特定の態様においては、本発明はＭＰＥＧ符号化された画像のストリームを元のＭＰＥＧストリームに基づいて発生する方法であって、発生された出力ストリームが表示時に結果として上記元のＭＰＥＧストリームよりも遅い速度を持つようなシーンとなるような方法を提供することを狙いとする。この様なＭＰＥＧ符号化された画像のストリームを、“スローモーションストリーム”と呼ぶ。
【００１５】
第２の特定の態様においては、本発明はＭＰＥＧ符号化された画像のストリームを元のＭＰＥＧストリームに基づいて発生する方法であって、発生された出力ストリームが表示時に結果として上記元のストリームよりも速い速度を持つシーンとなるような方法を提供することを狙いとする。この様なＭＰＥＧ符号化された画像のストリームを、“ファースト（高速）モーション（早回し）ストリーム”と呼ぶ。
【００１６】
言い換えると、スローモーションストリームの持続時間は対応する元のストリームの持続時間よりも長く、早回しストリームの持続時間は対応する元のストリームの持続時間よりも短い。前記トリック再生の全ての場合において、プレーヤは正しい時間軸（タイムベース）を有し且つ正しいフレームレート及びビットレートを持つようなＭＰＥＧ符合化された画像のシーケンスを発生しなければならない（これは、単位時間当たりの画像の数が表示時に同一のままでなければならないことを意味する）ので、スローモーションストリームは、対応する元のストリームより多くの画像を含み、早回しストリームは対応する元のストリームより少ない画像を含む。
【００１７】
本発明の重要な態様によれば、スローモーションストリームを発生する場合に、復号の際に画像が２回以上表示される効果を持つような追加のフレームが発生される。
【００１８】
本発明の他の重要な態様によれば、高速順送り（又は高速逆送り）ストリームを発生する場合に、元のストリームからフレームが削除される。
【００１９】
国際特許出願公開第WO98/48573号公報は、元のＭＰＥＧストリームに基づいてスローモーションストリーム又は早回しストリームを発生する方法を開示している。スローモーションストリームを発生するために、この文献は、元のＭＰＥＧストリームに既に存在するＢフレームが繰り返されるような方法を開示している。Ｉフレーム及びＰフレームは繰り返されない。この方法の欠点は、スローモーションの品質がＧＯＰ構造に依存する一方、更に表示されるシーンの進行が不規則である、即ちＩフレーム及びＰフレームは一度のみ表示されるのに対し、Ｂフレームは２回（又はそれ以上）表示される。この方法の他の欠点は、元のＭＰＥＧストリームが必ずしもＢ画像を有するとは限らない点にある。即ち、ＭＰＥＧストリームがＢ画像を含まない場合、この既知の方法は全く使用することができない。
【００２０】
早回しストリームを発生するために、上記文献はＢフレームが跳ばされる（スキップされる）ような方法を開示している。全てのＢフレームが跳ばされ、それでも依然として早回しが必要とされる場合は、Ｐフレームが跳ばされ、最終的には、Ｉフレームでさえ跳ばされる。この方法も幾つかの欠点を有している。上記のように、この方法の一つの欠点は、早回しの品質がＧＯＰ構造に依存することである。更に、単にＢ符号化フレーム及びＰ符号化フレームを跳ばす結果、発生されたビデオシーケンスのビットレートが大幅に増加し、これは容易に高くなり過ぎる可能性がある。
【００２１】
本発明の重要な態様によれば、空の予測符号化されたフレームが発生されて、発生されたビデオストリームに導入され、かくして、表示に際して元のＩ画像及びＰ画像の繰り返し表示を生じさせる。以下においては、斯様な空の予測符号化フレームを繰り返しフレームとも呼ぶ。
【００２２】
スローモーションの状況においては、該スローモーションの品質は国際特許出願公開第WO98/48573号に記載された方法より得られる品質に対し改善されるであろう。何故なら、Ｉ画像及び／又はＰ画像も繰り返し表示されるからである。Ｉ符号化画像の繰り返し表示は、ビデオシーケンス内の対応するＩフレームを繰り返すことによっても実行されるであろうが、これは、結果としてビットレートを増加させる。早回し状況においては、所望の速度比に依存して、跳ばされるフレームの数が所望の速度を得るために必要とされるより高くなり、結果として、それ自体では所望のものより高い速度となるであろうが、更に残りの画像の少なくとも幾つかが前記繰り返しフレームの導入により繰り返されるであろうから、正しい速度が得られる。例えば、元の記録のＩ符号化画像のみを使用し、出力されるビデオシーケンスのＧＯＰに繰り返しフレームを導入することにより対応する画像を繰り返し表示することができる。
【００２３】
言い換えると、ＧＯＰは、元の記録からＩ画像を取り込み、次いで、復号時に上記Ｉ画像が再度表示されるような効果を持つ１以上の人工的フレームを挿入することにより構成される。このように、ビットレートは許可されるレベルより低いままとなり、デコーダは依然として認識可能なＭＰＥＧ符号化ビデオ信号を入力する。上記において、“人工的フレーム”なる句は、斯様なフレームが元の記録の一部ではないことを示すために使用されている。
【００２４】
本発明の上述した態様は、フレームがプログレッシブに符号化されるようなビデオストリームに適用することができる。通常のように、フレームが２つのインターレースされたフィールドを有するような状況では、画像が繰り返し表示される場合に更なる問題が生じる。即ち、その場合には、１つのフレームのトップフィールドとボトムフィールドとが多数回にわたり交互に表示されるであろう。シーンが動きを有する場合、フレームの繰り返し表示は、当該シーンにおける動き部分の振動的な印象に繋がり、これは“インターレース効果”と呼ばれている。即ち、テレビジョンスクリーンの看取者は、動いている物体が、トップフィールドにより表示される位置とボトムフィールドにより表示される位置とに各々対応するような２５Ｈｚの周波数での２つの位置の間で前後にジャンプするのを見るようになる。
【００２５】
本発明の他の目的は、このインターレース効果を除去することにある。
【００２６】
本発明の他の重要な態様によれば、元のＩ画像又はＰ画像の後に導入される少なくとも最初の繰り返し画像が、表示に際してインターレース効果を除去するように設計される。以下においては、斯様な特定の繰り返し画像を、“インターレース除去画像”と呼ぶ。
【００２７】
本発明による第１実施例においては、上記インターレース除去画像は、復号及び表示に際して前の画像のボトムフィールドの繰り返しを生じさせるトップフィールドを有すると共に、復号及び表示に際して前の画像のボトムフィールドの繰り返しも生じさせるボトムフィールドを更に有する。デコーダにより斯様なインターレース除去画像が処理された後、該デコーダのフィールドメモリは同一の情報を含むであろう。可能性のある更なる繰り返し画像は、インターレース除去画像として設計される必要はない。即ち、斯様な更なる繰り返し画像が、復号及び表示に際して前の画像のトップフィールドの繰り返しを生じさせるようなトップフィールドを有すると共に、復号及び表示に際して前の画像のボトムフィールドの繰り返しを生じさせるようなボトムフィールドを更に有する場合、両方の表示されるフィールドは依然として同一であろうから、インターレース効果は発生しない。
【００２８】
本発明による第２実施例においては、上記インターレース除去画像はイントラ符号化されたトップフィールド画像を有すると共に、復号及び表示に際して上記イントラ符号化されたフレームのトップフィールドを繰り返すような関連するイントラ符号化されたトップフィールド画像の繰り返しを生じさせるようなＰ符号化ボトムフィールド画像を更に有する。デコーダにより斯様なインターレース除去画像が処理された後、該デコーダのフィールドメモリは、上述したのと同様に同一の情報を含むようになり、可能性のある更なる繰り返し画像はインターレース除去画像として設計される必要はない。
【００２９】
上述した実施例においては、元の画像は該元の画像が表示された後に繰り返される。しかしながら、元の画像の繰り返し表示を、該元の画像が表示される前に追加の画像を表示することにより得ることも可能である。この様に、本発明による第３実施例においては、インターレース除去プレビュー画像は、復号及び表示に際して次の画像のトップフィールドの表示を生じさせるようなボトムフィールドを有すると共に、復号及び表示に際して次の画像のトップフィールドの表示を生じさせるようなトップフィールドを更に有する。
【００３０】
第１及び第３実施例の組み合わせと見ることができる本発明による第４実施例においては、上記インターレース除去画像は復号及び表示に際して前の画像のボトムフィールドの繰り返しを生じさせるトップフィールド有すると共に、復号及び表示に際して次の画像のトップの表示を生じさせるボトムフィールドを更に有する。
【発明を実施するための最良の形態】
【００３１】
本発明の上記並びに他の態様、特徴及び利点を、本発明による制御回路の好ましい実施例の図面を参照してなされる下記説明により更に明らかにする。尚、図８Ａないし図８Ｃにおいて、同一又は類似の構成部分は、各々、１００代、２００代及び３００代の同様の符合により示されていることに注意されたい。
【００３２】
図１は、ＭＰＥＧビデオシーケンス１の構造を概略図示している。各ビデオシーケンス１はシーケンスヘッダ２ａにより開始し、シーケンスヘッダ拡張部２ｂが続き、複数の画像群（ＧＯＰ）３が続く。シーケンスヘッダ２ａは、なかでも、フレームレートに関する情報を有している。
【００３３】
各ＧＯＰ３はオプションのＧＯＰヘッダ４で開始し、複数の画像ブロック５が続く。各ＧＯＰヘッダ４は新たな画像群の始点を示す。
【００３４】
各画像ブロック５は、画像ヘッダ６ａ及び画像ヘッダ拡張部６ｂで開始し、実際の画像ビデオ情報を含むスライス８を含むような画像データ区画７が後続する。画像データ区画７には、対応する画像の実際の画像情報（ピクセル輝度及びカラー）が含まれている。
【００３５】
標準のテレビジョン装置上に表示された場合、各インターレース画像は２つの連続するフィールドを書くことにより示され、斯様な２つのフィールドの組み合わせがフレームとして示される。インターレース画像の各フィールドが、インターレース画像の各フィールドを個別に復号することができるように、個別に符号化されることが考えられ、斯様な場合には、当該画像符号化は“フィールド型”として示される。他の例として、インターレース画像の２つのフィールドを、フィールドは分離することはできず、フレームのみを全体として復号することができるように、混合された形で符号化することもできる。このような場合、該画像符号化は“フレーム型”と呼ぶ。画像がフィールド型で又はフレーム型で符号化されているかは、画像ヘッダ拡張部６ｂ内の情報により示される。
【００３６】
各画像ヘッダ６ａは、対応する画像の画像タイプ（Ｉ、Ｐ、Ｂ）に関する情報を含んでいる。画像ヘッダ６ａが、対応する画像がイントラ符号化された、即ちＩ型であることを示す場合、デコーダは、対応する画像データ区域７にのみ含まれている情報に基づいて画像を再現することができる。
【００３７】
画像ヘッダ６ａが、対応する画像が予測符号化されたもの（Ｐ型又はＢ型）であることを示す場合、デコーダは、対応する画像データ区域７のみに含まれている情報に基づいては画像を再現することができない。Ｐ型画像を復号することができるためには、デコーダは前のＩ画像又はＰ画像の画像ビデオ情報も必要とする。Ｂ型画像を復号することができるためには、デコーダは前のＩ画像又はＰ画像の画像ビデオ情報、及び／又は未来のＩ画像又はＰ画像の画像ビデオ情報も必要とする。その画像ビデオ情報が、予測符号化された画像（Ｐ型又はＢ型）を再現するために使用されるようなＩ画像又はＰ画像は、以下においては、基準画像又はアンカ画像とも呼ぶ。
【００３８】
ビデオデコーダ４０の従来の動作を、図２を参照して簡単に説明する。図２はビデオデコーダ４０を概念的に示し、該デコーダは、符号化されたデジタルビデオシーケンスを入力する入力端子４２と、テレビジョン装置により更に処理されるのに適した復号されたビデオ信号を出力する出力端子４３とを備えるプロセッサ４１を有している。プロセッサ４１には画像メモリが組み合わされており、少なくとも２つの復号された画像、即ち４つの復号されたフィールドを記憶することができる。以下の説明のために、上記画像メモリは、ＭＴ１、ＭＢ１、ＭＴ２、ＭＢ２（第１画像のトップフィールド及びボトムフィールドを各々記憶し、並びに第２画像のトップフィールド及びボトムフィールドを各々記憶することを意図する）として示された４つのフィールドメモリを有するものとして図示されており、これらの解説的なフィールドメモリは、各々、第１トップフィールドメモリ、第１ボトムフィールドメモリ、第２トップフィールドメモリ及び第２ボトムフィールドメモリと呼ぶ。これらの解説的な第１トップ及びボトムフィールドメモリの組み合わせは第１メモリＭ１とも呼び、これら解説的な第２トップ及びボトムフィールドメモリの組み合わせは第２メモリＭ２とも呼ぶ。
【００３９】
図２は、更に、プロセッサ４１の入力端子４２に印加されるＭＰＥＧ符号化されたビデオシーケンス１及びプロセッサ４１の出力端子において出力される復号されたビデオシーケンス１０を示している。ビデオシーケンス１は複数の画像を有し、各画像は符号化の型式を表す文字（Ｉ、Ｐ、Ｂ）により示されている。復号ビデオシーケンス１０は対応するビデオ画像Ｖ１、Ｖ２、Ｖ３、Ｖ４を有し、各ビデオ画像ＶｉはトップフィールドＴｉ及びボトムフィールドＢｉからなっている。画像は、ビデオシーケンス１に図示のように左から右への順に現れる。この様に、本例においては、ＭＰＥＧ符号化ビデオシーケンス１は、イントラ符号化された第１画像を有し、予測符号化された第２画像が続き、双方向予測符号化された第３画像が続き、双方向予測符号化された第４画像が続く。画像の文字には、表示順を示す下付け文字が設けられている。この様に、本例では、第１イントラ符号化画像Ｉ１が最初に表示され（Ｖ１）、第３画像Ｂ２（Ｖ２）の表示及び第４画像Ｂ３（Ｖ３）の表示が続き、その後第２画像Ｐ４が最後に表示される（Ｖ４）。
【００４０】
プロセッサ４１が最初の画像Ｉ１の画像ヘッダ６ａにおける情報を処理する場合、該プロセッサは該最初の画像がイントラ符号化画像であることを認識し、第１ビデオ画像Ｖ１を対応する画像データ区域７の情報のみに基づいて再生する。先ず、最初の画像Ｉ１が復号され、第１再生画像Ｖ１のトップフィールドＴ１が第１トップフィールドメモリＭＴ１に記憶される一方、この生成画像Ｖ１の対応するボトムフィールドＢ１は第１ボトムフィールドメモリＢＭ１に記憶される。最初の画像Ｉ１が完全に入力及び復号された場合、第１メモリＭ１（＝ＭＴ１＋ＭＢ１）は第１再生画像Ｖ１を含むことになる。
【００４１】
２番目に、第２画像Ｐ４がプロセッサ４１により入力される。プロセッサ４１が第２画像Ｐ４の画像ヘッダ６ａにおける情報を処理する場合、該プロセッサは該第２の画像Ｐ４が予測符号化画像であることを認識し、第４ビデオ画像Ｖ４を対応する画像データ区域７の情報及びアンカ画像Ｉ１を含む第１メモリＭ１内の情報に基づいて再生する。メモリＭＴ１及びＭＢ１内の情報及び画像データ区域７内の情報が合成される方法はＭＰＥＧ構文の一部であり、ここでは詳細に説明する必要はないであろう。第２画像Ｐ４は復号され、第４再生画像Ｖ４のトップフィールドＴ４が第２トップフィールドメモリＭＴ２に記憶される一方、対応するボトムフィールドＢ４は第２ボトムフィールドメモリＢＭ２に記憶される。該第２画像Ｐ４が完全に入力及び復号された場合、第２メモリＭ２（＝ＭＴ２＋ＭＢ２）は第４再生画像Ｖ４を含むことになる。ところで、プロセッサ４１は、前記第１再生画像Ｖ１のトップフィールドＴ１及びボトムフィールドＢ１を表示するために、第１メモリＭ１を読み取ると共に、出力端子４３にテレビジョン装置による処理に適したビデオ信号を発生している。
【００４２】
３番目に、第３画像Ｂ２がプロセッサ４１により入力される。プロセッサ４１が第３画像Ｂ２の画像ヘッダ６ａにおける情報を処理する場合、該プロセッサは該第３画像Ｂ２が双方向予測符号化画像であることを認識し、第２ビデオ画像Ｖ２を対応する画像データ区域７の情報、並びにアンカ画像Ｉ１／Ｖ１を含む第１メモリＭ１内の情報及びアンカ画像Ｐ４／Ｖ４を含む第２メモリＭ２内の情報の両者に基づいて再生する。同時に、プロセッサ４１は、上記第２再生画像Ｖ２を表示するために、出力端子４３にテレビジョン装置による処理に適したビデオ信号を発生する。第３画像Ｂ２の入力及び処理の後、第２メモリＭ２は第４ビデオ画像Ｖ４を依然として含んでいる一方、第１メモリＭ１も第１ビデオ画像Ｖ１を依然とし含んでいる。
【００４３】
次いで、同様にして、第４画像Ｂ３がプロセッサ４１により入力され、第３ビデオ画像Ｖ３を表示するために処理される。この画像の入力及び処理モードは、双方向予測符号化画像が入力される限り継続される。プロセッサ４１が後続するアンカ画像を入力すると、該画像が復号されると共に上記画像メモリに記憶される一方、第２メモリＭ２の内容が読み出され表示される、即ちＶ４となる。
【００４４】
以下においては、本発明を図３に概念的に示すデジタルプレーヤ３０の例示的な状況に関して詳細に説明するが、該プレーヤは例えば光ディスク等のディスクとして図３に示す記録担体３１を再生するためのもので、該記録担体３１は通常の速度で記録された記録デジタルビデオシーケンスを担持している。図示された様に、プレーヤ３０は記憶された情報のために当該ディスクを走査する走査手段を有している。斯かる走査手段の構成は当業者にとっては明らかなように従来のものとすることができ、ここでは詳細に説明する必要はないであろう。斯様な記録担体をトリック再生モードで再生するために、プレーヤ３０は該記録担体を通常の速度とは異なる速度で物理的に走査することができると共に、デジタル出力端子３２において、ＭＰＥＧ構文に対応し且つデコーダ４０により処理することができるようなトリック再生ビデオ出力シーケンスを発生しなければならない。しかしながら、本発明は“通常の”ビデオ信号を入力して、上述したようなトリック再生ビデオシーケンスを発生すると共に、このトリック再生ビデオシーケンスを当該記録担体上に記録するように構成されたデジタルビデオレコーダにも関するものである。この様な場合、この記録を“通常”再生で、“通常の”速度で再生することは、結果として、元のシーケンスと比較してトリック再生表示となる。通常、斯様なレコーダは、上記トリック再生ビデオシーケンス及び元のビデオシーケンスを、別々のトラックに記録するであろう。
【００４５】
ユーザがトリック再生モードを選択するのを可能にするために、プレーヤ３０は、例えば通常再生選択キーＫＮ、停止キーＫ０オプション及び図示せぬ可能性のある他の選択キーに隣接して、高速順送り選択キーＫＦＦ及びスローモーション順送りキーＫＳＭを有することができる。
【００４６】
ＭＰＥＧにおいては、種々のＧＯＰのパターンが可能であり、該パターンは順番さえ変化し得る。以下においては、本発明を、符号化ビデオシーケンスがフォーマットＩＢＢＰＢＢＰＢＢＰＢＢの閉じたＧＯＰのみを有するような例示的状況に関して説明する。
【００４７】
以下において、本発明を、先ずスローモーションの場合について更に説明する。
【００４８】
図４Ａは、通常の再生状況における画像のシーケンスを図示している。該表における最初の行は、標準のテレビジョン装置のような表示装置上に表示される順次の画像を示している。解説のために、上記順次の画像はアルファベットの連続する文字の画像を示すものと仮定されている。
【００４９】
２行目には、画像がＹｎと示され、ｎは表示シーケンスにおける斯様な画像の位置を示している。ここで、番号付けはアルファベットの最初の文字の画像と共に１で開始する。
【００５０】
３行目は、担体３１上に記録された符号化ビデオシーケンスに関するもので、該符号化ビデオシーケンスがフォーマットＩＢＢＰＢＢＰＢＢＰＢＢのＧＯＰのみを有するような場合に関して、対応する画像の、Ｉ、Ｐ又はＢとして示される画像型式を示している。先に示した通り、符号化ビデオシーケンスにおける画像の順序は、これら画像の表示順序に対応していない。例えば、画像“Ｄ”を生じさせる第４（Ｐ符号化）画像は、画像“Ｃ”を生じさせる第３（Ｂ符号化）画像より後に表示されるが、当該符号化ビデオシーケンスにおいては、この第３画像の位置より前の位置を有する。画像の信号の順序は、図４Ａには示されていない。
【００５１】
図４Ｂは図４Ａに類似しているが、同一のビデオシーケンスのスローモーション状況での再生に関するものである。該表の１行目は、表示装置上に示される順次の画像を示している。図４Ａと比較して、全ての元の画像が図示の状況では３回示され、かくして、再生時間は通常の再生時間の３倍の長さとなる（即ち、当該シーケンスはスローモーション係数３で再生される）。例えば第１画像が４回表示され、第２画像が２回表示される場合にもスローモーション係数３を達成することができるが、これは、結果として当該ビデオの不規則な進行となり、一定したリフレッシュレートが好ましい。しかしながら、他方においては、スローモーション係数が整数でないことが望ましい場合、これは異なる画像に対して異なる繰り返し方法を使用することにより達成することができる。例えば、連続する画像が交互に３回及び４回表示される場合、結果として、３.５に等しいスローモーション係数が得られる。他のスローモーション係数も可能である。
【００５２】
図４Ｂの２行目には、画像がＸｎで示され、ｎは斯かる画像のスローモーション表示シーケンスにおける位置を示している。ここで、番号付けは、アルファベットの最初の文字の画像を示す第１画像と共に１で開始している。
【００５３】
図４Ｂの３行目は、元の表示シーケンスにおける対応する元の画像の位置を示し、４行目は元の画像の画像型式を示している（図４Ａの３行目と比較せよ）。この様に、復号及び表示に際して図４Ｂの１行目の画像シーケンスを生じさせるように設計されたビデオ信号は、元のビデオシーケンスの３倍多くの画像を含んでいることが明らかである。即ち、本発明によるスローモーションビデオ信号は繰り返し画像を含み、各繰り返し画像は少なくとも１つの元の画像の画像情報の繰り返し表示を生じさせるように設計されている。図４Ｂにおいて、斯様な繰り返し画像は４行目にＲと示されている。
【００５４】
本例では、スローモーション表示シーケンスにおける第２及び第３画像Ｘ２及びＸ３は、第１画像Ｘ１により生じさせられる画像の繰り返し表示を生じさせるが、該第１画像Ｘ１は本例ではＩ符号化された元の画像Ｙ１である。Ｉ符号化された画像は他の画像からの情報を要すること無しに復号することができるから、この画像の繰り返し表示は、この画像を繰り返し送ることにより達成することができる。このことは、スローモーション表示シーケンスにおける第２及び第３画像Ｘ２及びＸ３は、原理的に、第１画像Ｘ１と同一であり、その場合、これら画像はＩ符号化された画像であろうことを意味する。しかしながら、この解決策の１つの欠点は、これが多数のビットを含むであろうことである。他の欠点は、後に説明するインターレース効果に関するものである。
【００５５】
本発明によれば、上記スローモーション表示シーケンスにおける第２及び第３画像Ｘ２及びＸ３は、Ｐ符号化されたか又はＢ符号化されたかの何れかの空の繰り返し画像である。図４Ｂの５行目にＥＲとして示される、これらの空の繰り返し画像は、続くシーケンスが如何なるＢ符号化画像も含まない場合は、Ｐ符号化されたものとすることができる。続くシーケンスが、本例におけるように、Ｂ符号化画像を含む場合は、該空の繰り返し画像の更なる特性が考慮されねばならない。後述するように、繰り返し画像は好ましくはインターレース除去特性を有し、そのような場合、スローモーション表示シーケンスにおける第２及び第３画像Ｘ２及びＸ３は、Ｂ符号化された空の画像であるべきである。何故なら、Ｂ符号化された画像はデコーダにおける画像メモリを影響されない形で残すからである。以下においては、上記空の画像はＢ符号化されていると仮定する。従って、第２及び第３画像Ｘ２及びＸ３は、図４Ｂの５行目ではＥＲＢとして示されている。
【００５６】
デコーダがＢ符号化画像を入力すると、該デコーダは、隣接するアンカ画像に関係する前記２つの画像メモリ内の情報に基づくと共に、上記アンカ画像からの何の情報が使用されるべきか及び上記アンカ画像からの該情報に対してどの様な変更がなされるべきかを示すような上記Ｂ符号化画像の情報に基づいて、画像を“再生”する。解説として、２つの隣接するアンカ画像の内容がＡ１及びＡ２により各々記号化される場合、Ｂ符合化された画像はパラメータα、β及びγを含むものとして記号化することができ、このＢ符号化された画像により表される画像Ａ３の生成は、Ａ３＝α・Ａ１＋β・Ａ２＋γとして記号化することができる。
【００５７】
前の画像を繰り返す空のＢ符号化画像は、これらの変更が零であると共に、前のアンカ画像のみを参照するような画像であり、結果として上記前の画像と同一の新たな構築された画像となり、この場合は、上記スローモーション表示シーケンスのＩ符号化された第１画像Ｘ１となる。符号化されたマクロブロックを有さない斯様な画像は、以下、Ｂ符号化空繰り返し画像ＥＲＢと呼ぶ。前述した記号化では、α＝０、β＝０及びγ＝０となる。同様のことが、必要な変更の下でＰ符号化画像にも当てはまり、該画像を以下ではＰ符号化空繰り返し画像ＥＲＰと称す。斯様な画像は、有効なＢ画像又はＰ画像を各々構成するのに必要な最小限の情報を含むが、動きの情報の量は零である。
【００５８】
この様に、スローモーション表示シーケンスのＩ符号化第１画像Ｘ１の繰り返し表示を、該Ｉ符号化第１画像自身を繰り返し送るよりは大幅に少ないビットしか含まないＢ符号化画像を用いることにより達成することができる。
【００５９】
上述したシーケンスはＭＰＥＧフォーマットによれば有効なシーケンスであることを明示的に注記する。従って、デコーダ４０は斯様なシーケンスを処理するのに何ら問題を有しないであろう。
【００６０】
図４Ｂの例では、スローモーション表示シーケンスのＩ符号化第１画像Ｘ１は、元のＩ符号化画像Ｘ１の後で当該ビデオシーケンスに２つのＢ符号化空繰り返し画像Ｘ２及びＸ３（ＥＲＢ）を組み込むことにより３回表示される。当該ビデオシーケンスに組み込まれる繰り返し画像の数が所望のスローモーション係数に依存することは明らかであろう。更に、他の例として、１以上の繰り返し画像を使用する代わりに、当該ビデオシーケンスに組み込まれる１以上のプレビュー画像を使用して、元のＩ符号化画像Ｘ１の前に表示を生じさせることも可能である。これは、図４Ｃに図示したように、結果として同様な視覚効果となり、該図においては空のプレビュー画像がＥＰＢとして示されている。“プレビュー”なる句は、ここでは、未来のアンカ画像のみを参照し、結果として該未来のアンカ画像と同一の新たに構築された画像となるような空の（即ち、符号化されたマクロブロックを含まない）Ｂ符号化画像を示すために使用されている。前述した記号化においては、α＝０、β＝１及びγ＝０となる。“繰り返し表示”及び“繰り返して表示する”なる句は、ここでは、繰り返し画像の場合及びプレビュー画像の場合をカバーするために使用されている。
【００６１】
更に、図４Ｂの例においては、スローモーション表示シーケンスにおける第５及び第６画像Ｘ５及びＸ６は第４画像Ｘ４、即ちＢ符号化画像である第２オリジナル画像Ｙ２により発生された画像の繰り返し表示を生じさせる。Ｂ符号化画像に基づく画像を繰り返す（又はプレビューする）ためには、該Ｂ符号化画像自体を繰り返さなければならない。従って、本例では、第４画像Ｘ４を繰り返すために、当該スローモーション表示シーケンスにおける第５及び第６画像Ｘ５及びＸ６は、第４画像、即ち第２オリジナル画像Ｙ２の同一のコピーとする。同様に、当該スローモーション表示シーケンスにおける第８及び第９画像Ｘ８及びＸ９は、第７画像Ｘ７、即ち第３オリジナル画像Ｙ３の同一のコピーである。しかしながら、後述するように、繰り返し画像Ｘ５及びＸ６［Ｘ８及びＸ９］がインターレース除去特性を有すべき場合は、これら画像は１００％完全にＸ４［Ｘ７］と同一ではないであろう。
【００６２】
更に、この例においては、当該スローモーション表示シーケンスにおける第１１及び第１２画像Ｘ１１及びＸ１２は、第１０画像Ｘ１０、即ちＰ符号化画像である第４オリジナル画像Ｙ４により発生される画像の繰り返し表示を生じさせる。Ｐ符号化画像を復号する場合、デコーダは前のアンカ画像からの情報を必要とする一方、デコーダの画像メモリも影響を受ける。従って、この画像の繰り返し表示は、この画像を繰り返し送ることによっては達成することができない。本発明によれば、スローモーション表示シーケンスにおける第１１及び第１２画像Ｘ１１及びＸ１２は、Ｐ符号化又はＢ符号化の何れかの空の繰り返し画像ＥＲである。Ｉ符号化画像Ｘ１を繰り返すことに関連して前述したのと同様に、これらの空の繰り返し画像ＥＲは、続くシーケンスが如何なるＢ符号化画像も含まない場合は、Ｐ符号化されたものであり得るが、本例におけるもののように、続くシーケンスがＢ符号化画像を含み、且つ、繰り返し画像がインターレース除去特性を有するべき場合は、当該スローモーション表示シーケンスにおける第１１及び第１２画像Ｘ１１及びＸ１２は、Ｂ符号化空画像ＥＲＢであるべきである。何故なら、Ｂ符号化画像はデコーダの画像メモリを影響されないまま残すからである。
【００６３】
前述したのと同様に、元のＰ符号化画像の後で表示を生じさせるＢ符号化繰り返し画像ＥＲＢを使用する代わりに、元のＰ符号化画像の前で表示を生じさせるＢ符号化プレビュー画像ＥＰＢを使用することもできる（図４ＣにおけるＸ１０及びＸ１１）。
【００６４】
上述したように、図４Ｂは、対応する元の画像が表示された後で元の画像を繰り返し表示するための空繰り返し画像ＥＲのみを含むようなトリック再生シーケンスを図示している一方、図４Ｃは、対応する元の画像が表示される前に元の画像を繰り返し表示するための空プレビュー画像ＥＰのみを含むようなトリック再生シーケンスを図示している。１つのトリック再生シーケンス内に空繰り返し画像及び空プレビュー画像を有することも可能である。また、１つの同一のオリジナル画像を繰り返し表示する空プレビュー画像及び空繰り返し画像（シーケンスＥＰＢ−Ｙ−ＥＲＢ）を有することさえ可能である。
【００６５】
上記においては、２つのタイプの空画像を説明した。即ち、１つの前のオリジナル画像の画像情報の繰り返し表示を生じさせるように設計された空繰り返し画像ＥＲ、及び１つの未来のオリジナル画像の画像情報の繰り返し表示を生じさせるように設計された空プレビュー画像ＥＰである。本発明は、復号及び表示に際して前のオリジナル画像と未来のオリジナル画像との間の補間を生じさせるように設計された第３のタイプの空画像も提供する。更に詳細には、デコーダが斯様な画像を復号する場合、該デコーダは上記前のオリジナル画像の画像情報と上記未来のオリジナル画像の画像情報とを平均することにより人工的画像を構築する。先の記号化においては、α＝１／２、β＝１／２及びγ＝０となる。この様に、表示される画像は前のオリジナル画像の又は未来のオリジナル画像の真の繰り返しではない。しかしながら、上記人工的画像を構築する場合に上記前のオリジナル画像の画像情報が再び使用されているので（同様のことが、未来のオリジナル画像の画像情報にも当てはまる）、上記第３のタイプの画像は、依然として、繰り返し画像の一例を構成していると考えられるであろう。更に詳細には、上記第３のタイプの空画像は、空補間画像ＥＩと称し、この画像は符号化されたマクロブロックを含まないという点で空である。
【００６６】
画像フレームが、連続して表示される２つのインターレースされたフィールドを有していることを理解すべきである。これら２つのフィールドは、第１フィールド及び第２フィールドと呼び、第１フィールドが最初に表示されるフィールドである。上述した空繰り返し画像ＥＲでは、両フィールドが前のオリジナルフィールドの繰り返し表示を生じさせるのに対し、空プレビュー画像の両フィールドは未来のオリジナルフィールドの繰り返し表示を生じさせる。本発明は、第４のタイプの繰り返し画像も提供し、空繰り返し／プレビュー画像ＥＲ／Ｐと呼ぶ。ここでは、第１フィールドが前のオリジナルフィールドの繰り返し表示を生じさせる一方、第２フィールドは未来のオリジナルフィールドの繰り返し表示を生じさせる。
【００６７】
この様に、本発明の重要な態様によれば、元の（オリジナルの）ＭＰＥＧビデオシーケンスに基づいてスローモーションＭＰＥＧビデオシーケンスを発生する方法であって、該方法が復号及び表示に際して、元のシーケンスを復号する必要性無しに該元のシーケンスのスローモーション再生を得るような方法が提供される。これは、Ｂ符号化された又はＰ符号化されたかの何れかの空の画像を挿入することにより達成され、これら画像は、以下、文字Ｅにより包括的に示される。復号及び表示に際して、これらの空画像は結果として前のオリジナル画像の繰り返し表示になるか（ＥＲ）、又は未来のオリジナル画像の繰り返し表示になるか（ＥＰ）、又は両者の組み合わせになるか（ＥＩ：ＥＲ／Ｐ）である。
【００６８】
ビデオシーケンスへの空画像Ｅの挿入は、元のシーケンスの復号の必要性無しに、元の画像に基づいて“人工的”画像を表示するという所望の効果を有するであろう。しかしながら、画像フレームが２回以上表示されたら、先に説明したように、インターレース効果の問題が生じる。これは、各画像フレームが順に表示される２つのインターレースされたフィールドを有していることを認識することにより理解することができる。通常、最上ラインを持つフィールド（トップフィールド）が先ず表示され、同一の画像の他方のフィールド（ボトムフィールド）が続く。しかしながら、ＭＰＥＧにおいては、ボトムフィールドが最初に表示され、トップフィールドが続くことがあり得る。以下においては、本発明を、トップフィールドが最初に表示される通常の場合に関して更に説明する。しかしながら、本発明は、この場合に限定されるものではないことを理解すべきである。
【００６９】
画像のボトムフィールドは、次の画像のトップフィールドにより後続される。２つの連続する２つの画像フレームが１００％完全に同一である場合は、第２画像のトップフィールドは第１画像のトップフィールドと同一であり、第２画像のボトムフィールドは第１画像のボトムフィールドと同一である。当該シーンが動きを含む場合は、第１画像のトップフィールドが表示される場合、オブジェクトは第１位置に表示され、第１画像のボトムフィールドが表示される場合、第２位置に表示されるであろう。次いで、第１画像のトップフィールドと同一である第２画像のトップフィールドが表示される場合、この動いているオブジェクトは第１画像のトップフィールドにより示された上記第１位置で再び表示されるであろう。言い換えると、斯様な動くオブジェクトは、これら２つの位置の間で前後にジャンプする。
【００７０】
そこで、本発明の他の目的は、この問題を克服することにある。
【００７１】
本発明によれば、この問題を克服するため、空画像Ｅは好ましくは、復号及び表示に際して、この空画像Ｅの各フィールドが、該空画像Ｅが参照する時間的に最も近いフィールドの繰り返し表示を生じさせるように構成される。
【００７２】
空繰り返し画像ＥＲは以前の（早い）アンカ画像を参照する。従って、このアンカ画像に時間的に最も近いフィールドは、該アンカ画像の第２フィールド、即ちボトムフィールドである。従って、本発明によれば、インターレース除去特性を備える空繰り返し画像ＥＲは、復号及び表示に際して、以前のアンカ画像のボトムフィールドの繰り返し表示を２回生じさせる。
【００７３】
空プリビュー画像ＥＰは未来のアンカ画像を参照する。従って、このアンカ画像に時間的に最も近いフィールドは、該アンカ画像の第１フィールド、即ちトップフィールドである。従って、本発明によれば、インターレース除去特性を備える空プリビュー画像ＥＰは、復号及び表示に際して、未来のアンカ画像のトップフィールドの繰り返し表示を２回生じさせる。
【００７４】
空補間画像ＥＩは、以前のアンカ画像及び未来のアンカ画像を参照する。以前のアンカ画像の時間的に最も近いフィールドは、該アンカ画像の第２フィールド、即ちボトムフィールドであり、未来のアンカ画像の時間的に最も近いフィールドは、該アンカ画像の第１フィールド、即ちトップフィールドである。従って、本発明によれば、インターレース除去特性を備える空補間画像ＥＩは、復号及び表示に際して、以前のアンカ画像のボトムフィールドと未来のアンカ画像のトップフィールドとの間の補間の表示を２回生じさせる。しかしながら、空補間画像ＥＩが、復号及び表示に際して、以前のアンカ画像のトップフィールドと未来のアンカ画像のトップフィールドとの間の補間の表示と、それに続いて、以前のアンカ画像のボトムフィールドと未来のアンカ画像のボトムフィールドとの間の補間の表示とを生じさせれば、インターレース効果は既に低減されている。
【００７５】
空繰り返し／プリビュー画像ＥＲ／Ｐは、以前のアンカ画像及び未来のアンカ画像を参照する。以前のアンカ画像の時間的に最も近いフィールドは、該アンカ画像の第２フィールド、即ちボトムフィールドであり、未来のアンカ画像の時間的に最も近いフィールドは、該アンカ画像の第１フィールド、即ちトップフィールドである。従って、本発明によれば、インターレース除去特性を備える空繰り返し／プリビュー画像ＥＲ／Ｐは、復号及び表示に際して、以前のアンカ画像のボトムフィールドの表示と、これに続いて未来のアンカ画像のトップフィールドの表示とを生じさせる。
【００７６】
当業者により既知のように、画像のマクロブロックヘッダは参照パラメータＭＶＦＳ（動き垂直フィールド選択）を含んでおり、このパラメータの値に依存して、デコーダは頼みとするアンカ画像のトップフィールド又はボトムフィールドからのマクロブロックを使用する。事実、各マクロブロックは自身の参照パラメータＭＶＦＳを有しているが、該参照パラメータＭＶＦＳの値は異なるマクロブロック毎に異なり得るので、以下においては、参照パラメータＭＶＦＳの値はフィールド内の全マクロブロックに関して同一であると仮定する。以下の説明のために、このことは、全体のトップフィールドに対してはトップ参照情報パラメータＲＴを、全体のボトムフィールドに対してはボトム参照情報パラメータＲＢを定義することにより表される。斯様な参照情報がアンカ画像のトップフィールドを示す場合、これは値→Ｔとして示され、一方、斯様な参照情報がアンカ画像のボトムフィールドを示す場合、これは値→Ｂとして示される。
【００７７】
通常、トップ参照情報パラメータＲＴはトップフィールドへの参照を示し（ＲＴ→Ｔ）、ボトム参照情報パラメータＰＢは通常はボトムフィールドへの参照を示す（ＲＢ→Ｂ）。この通常の関係を満足する空画像Ｅは、この表記では、Ｅ（ＲＴ→Ｔ；ＲＢ→Ｂ）として示される。しかしながら、これはＭＰＥＧ構文においては必要要件ではなく、本発明は、この事実の認識に基づくものである。
【００７８】
図５Ａは、トップフィールドＴ１及びボトムフィールドＢ１を有する第１画像Ｘ１を概念的に示している。この画像は、Ｉ符号化されているか又はＰ符号化されているかの何れかの元の（オリジナルの）画像であり、プレーヤ３０により発生され、Ｐ符号化されているか又はＢ符号化されているかの何れかの空繰り返し画像ＥＲ２が後続している。該空繰り返し画像ＥＲ２は、トップフィールドＴ２及び対応するトップ参照情報パラメータＲＴ２を有すると共に、ボトムフィールドＢ２及び対応するボトム参照情報パラメータＲＢ２を有している。ボトム参照情報パラメータＲＢ２は第１画像Ｘ１のボトムフィールドＢ１への参照を示し（ＲＢ２→Ｂ１）、これが図５Ａでは該繰り返し画像ＥＲ２のボトムフィールドＢ２から第１画像Ｘ１のボトムフィールドＢ１を逆方向に指し示す矢印ＲＢ２により示されている。
【００７９】
上記空繰り返し画像ＥＲ２が、復号及び表示に際して、第１画像Ｘ１のトップ及びボトムフィールド画像の両者の正確な繰り返しを生じさせるように設計されていたとしたら、トップ参照情報パラメータＲＴ２は第１画像Ｘ１のトップフィールドＴ１への参照を示すであろう（ＲＴ２→Ｔ１）。しかしながら、前述したように、この場合はインターレース効果が発生する。本発明によれば、図５Ａに該繰り返し画像ＥＲ２のトップフィールドＴ２から第１画像Ｘ１のボトムフィールドＢ１を指し示す矢印ＲＴ２として概念的に示されているように、上記トップ参照情報パラメータＲＴ２も第１画像Ｘ１のボトムフィールドＢ１への参照を示すならば（ＲＴ２→Ｂ１）、このインターレース効果は防止される。斯様な空繰り返し画像ＥＲ２（ＲＴ２→Ｂ１；ＲＢ２→Ｂ１）は、復号及び表示に際して、第１画像Ｘ１のボトムフィールドＢ１の繰り返しを２回生じさせるが、このボトムフィールド画像Ｂ１は当該繰り返し画像Ｅ２の関係では第１画像Ｘ１の時間的に最も近いフィールド、即ち最終フィールドである。
【００８０】
この様にして、上記インターレース効果が効果的に防止されることが容易に分かる。即ち、復号及び表示に際して、上記２つの画像Ｘ１及びＥＲ２は、画像Ｔ１、Ｂ１、Ｂ１、Ｂ１なる連続した表示を生じさせる。従って、プレーヤ３０により発生される上記空繰り返し画像ＥＲ２（ＲＴ２→Ｂ１；ＲＢ２→Ｂ１）は、“インターレース除去画像”としても示される。
【００８１】
もっと大きなスローモーション係数を得るために第１画像Ｘ１を再び繰り返したい場合は、１以上の更なる空繰り返し画像ＥＲ３、ＥＲ４等を、当該ビデオシーケンスへＥＲ２の後で挿入することができる。上記空繰り返し画像ＥＲ２、ＥＲ３、ＥＲ４等がＢ符号化されたものであれば、これらは全て同一の、即ちＥＲＢｉタイプ（ＲＴｉ→Ｂ１；ＲＢｉ→Ｂ１）のものであるべきである。しかしながら、最初の空繰り返し画像ＥＲ２がＰ符号化されたものである場合は、デコーダの対応するトップ及びボトムフィールドメモリの内容は、斯様なＰ符号化繰り返し画像ＥＲＰ２の復号及び更なる処理の後に同一となるであろう。この場合は、更なる繰り返し画像（Ｐ符号化又はＢ符号化に拘わらず）のトップフィールド及びボトムフィールドは、例えば図５Ａに概念的に示されているように、例えばＥＲ３（ＲＴ３→Ｔ２；ＲＢ３→Ｂ２）のように斯様なＰ符号化繰り返し画像ＥＲＰ２の何れのフィールドＴ２／Ｂ２を参照してもよい。
【００８２】
前述したように、当該画像に空繰り返し画像が後続するようにさせることにより該画像の表示を繰り返す代わりに、当該画像に空プリビュー画像が先行するようにさせることも可能である。図５Ａと同様に、図５ＢはトップフィールドＴ３及びボトムフィールドＢ３を持つ画像Ｘ３を概念的に示している。この画像Ｘ３はＩ符号化された又はＰ符号化されたかの何れかのオリジナル画像であり、Ｂ符号化された空プリビュー画像ＥＰ２により先行されている。この空プリビュー画像ＥＰＢ２は、トップ参照情報パラメータＲＴ２とボトム参照情報パラメータＲＢ２とを有している。トップ参照情報パラメータＲＴ２は、図５Ｂに該プリビュー画像ＥＰ２のトップフィールドＴ２から画像Ｘ３のトップフィールドＴ３へ順方向に指し示す矢印ＲＴ２として示されるように、画像Ｘ３のトップフィールドＴ３への参照を示している（ＲＴ２→Ｔ３）。上記空プリビュー画像ＥＰ２が、復号及び表示に際して、上記オリジナル画像Ｘ３のトップ及びボトムフィールド画像の両者の正確な繰り返しを生じさせるように設計されていたとしたら、ボトム参照情報パラメータＲＢ２は該画像Ｘ３のボトムフィールドＢ３への参照を示すであろう（ＲＢ２→Ｂ３）。しかしながら、前述したように、この場合はインターレース効果が発生する。本発明によれば、図５Ｂに該プリビュー画像ＥＰ２のボトムフィールドＢ２からオリジナル画像Ｘ３のトップフィールドＴ３を順方向に指し示す矢印ＲＢ２として概念的に示されているように、上記ボトム参照情報パラメータＲＢ２もオリジナル画像Ｘ３のトップフィールドＴ３への参照を示すならば（ＲＢ２→Ｔ３）、このインターレース効果は防止される。斯様な空プリビュー画像ＥＰ２（ＲＴ２→Ｔ３；ＲＢ２→Ｔ３）は、復号及び表示に際して、上記画像Ｘ３のトップフィールド画像Ｔ３の表示を２回生じさせるが、このトップフィールド画像Ｔ３は当該プリビュー画像Ｒ２の関係では上記画像Ｘ３の時間的に最も近いフィールド、即ち最初のフィールドである。
【００８３】
この様にして、上記インターレース効果が効果的に防止されることが容易に分かる。即ち、復号及び表示に際して、上記２つの画像ＥＰ２及びＸ３は、画像Ｔ３、Ｔ３、Ｔ３、Ｂ３なる連続した表示を生じさせる。従って、プレーヤ３０により発生される上記空プリビュー画像ＥＰ２（ＲＴ２→Ｔ３；ＲＢ２→Ｔ３）は、“インターレース除去画像”としても示される。
【００８４】
もっと大きなスローモーション係数を得るために上記オリジナル画像Ｘ３を、もっと多くの回数プリビューしたい場合は、１以上の更なる空プリビュー画像ＥＰを、当該ビデオシーケンスへＥ２の前で挿入することができる。これら空プリビュー画像はＢ符号化されるべきであるから、これらは全て同一の、即ちＥＰＢｉタイプ（ＲＴｉ→Ｔ３；ＲＢｉ→Ｔ３）のものであるべきである。
【００８５】
元のビデオシーケンスがアンカ画像のみを含む、即ちＢ符号化画像を含まない場合で、且つ、小さなスローモーション係数２（又は４、６等）が望まれる場合に、特別な状況が発生する。図５Ｃは、トップフィールドＴ１及びボトムフィールドＢ１を有する第１画像Ｘ１を概念的に示している。この第１画像Ｘ１はオリジナルのアンカ画像で、Ｉ符号化されているか又はＰ符号化されているかの何れかであり、Ｂ符号化された空の画像Ｅ２により後続されている。該画像Ｅ２には第３画像Ｘ３が続き、該画像Ｘ３はＩ符号化されたか又はＰ符号化されたかの何れかの第２オリジナルアンカ画像である。上記空画像Ｅ２は、トップフィールドＴ２及び対応するトップ参照情報パラメータＲＴ２を有すると共に、ボトムフィールドＢ２及び対応するボトム参照情報パラメータＲＢ２を有している。第３画像Ｘ３はトップフィールドＴ３及びボトムフィールドＢ３を有している。
【００８６】
以前の例では、第２画像Ｅ２は、共にＢ１を参照するトップ参照情報パラメータＲＴ２及びボトム参照情報パラメータＲＢ２を持つ空繰り返し画像（図５Ａ）か、又は共にＴ３を参照するトップ参照情報パラメータＲＴ２及びボトム参照情報パラメータＲＢ２を有する空プリビュー画像（図５Ｂ）かの何れかである。本例において、第２画像Ｅ２が斯様なタイプの場合、表示シーケンスは、
図５Ａの場合は、Ｔ１、Ｂ１、Ｂ１、Ｂ１、Ｔ３、Ｂ３、Ｂ３、Ｂ３、…
図５Ｂの場合は、Ｔ１、Ｔ１、Ｔ１、Ｂ１、Ｔ３、Ｔ３、Ｔ３、Ｂ３、…
のようになる。この様に、フィールド画像のリフレッシュ率が不規則となる。本発明によれば、これは、実施例５Ｃに概念的に示すように、トップ参照情報パラメータＲＴ２が第１画像Ｘ１のボトムフィールドＢ１に対する参照を示す（ＲＴ２→Ｂ１）一方、ボトム参照情報パラメータＲＢ２が第３画像のトップフィールドＴ３への参照を示す（ＲＢ２→Ｔ３）場合に改善することができる。この様に、空画像Ｅ２は繰り返しトップフィールドと、プリビューボトムフィールドとを有する。斯様な空繰り返し／プリビュー画像Ｅ２（ＲＴ２→Ｂ１；ＲＢ２→Ｔ３）は、復号及び表示に際して、第１画像Ｘ１のボトムフィールド画像Ｂ１の１つの繰り返し（該ボトムフィールド画像Ｂ１は、画像Ｅ２との関係では、第１画像Ｘ１の時間的に最も近いフィールド、即ち最後のフィールドである）と、第３画像Ｘ３のトップフィールド画像Ｔ３の１つのプリビュー（該トップフィールドＴ３は画像Ｅ２との関係では第３画像Ｘ３に時間的に最も近いフィールド、即ち最初のフィールドである）とを生じさせる。
【００８７】
復号及び表示に際して、これら３つの画像Ｘ１、Ｅ２及びＸ３は、画像Ｔ１、Ｂ１、Ｂ１、Ｔ３、Ｔ３、Ｂ３の順次の表示を生じさせる。このように、インターレース効果が効果的に防止されるのみならず、フィールドのリフレッシュ率が一定となる。前述と同様に、プレーヤ３０により発生される上記空繰り返し／プリビュー画像Ｅ２（ＲＴ２→Ｂ１；ＲＢ２→Ｔ３）も、“インターレース除去画像”として示される。
【００８８】
２つのオリジナルなアンカ画像の間の空画像の数が１を超える奇数である場合、同じ原理が当てはまる。全ての斯様な場合において、中央の空画像は、このような組み合わされた繰り返し／プリビュー画像とすることができる。
【００８９】
上記においては、フレーム型符号化とフィールド型符号化との間で何の区別もしなかった。担体３１上に記録された符号化ビデオシーケンスにおける画像がフレーム型符号化されたものである場合、各画像ブロックはトップフィールド及びボトムフィールドの情報を混合した形で含んでいる。しかしながら、復号した後では、デコーダ４０のメモリはトップフィールド情報とボトムフィールド情報とを分離された形で有する。一方、担体３１上に記録された符号化ビデオシーケンスがフィールド型符号化されたものである場合は、各画像フレームは１フィールドのみ、即ちトップフィールド又はボトムフィールドの何れかに関する情報しか含まない。上述した説明は、フィールド型符号化された画像に対して有効であると共に、フレーム型符号化された画像に対しても有効である。
【００９０】
上述した空繰り返し画像及びプリビュー画像は、記録されたビデオシーケンスがフィールド型符号化されているか又はフレーム型符号化されているかとは独立に、フィールド型符合化されたものか又はフレーム型符号化されたのものの何れかとすることができる。
【００９１】
図６は本発明の他の実施例を図示するもので、担体３１上に記録された符号化ビデオシーケンスがフィールド型符号化画像を含む場合に使用することができる。この実施例は、記録されたビデオシーケンスがフィールド型符号化されたものである場合に使用することができる。何故なら、ここでは、フレームの２つのフィールドを、符号化されたままで、個別に操作することができるからである。以下において、本発明は、ここでも、処理されるべき画像がイントラ符号化された画像（Ｉ）である場合に関して説明するが、処理されるべき画像が予測符号化された画像（Ｐ）の場合にも同様のことが当てはまる。
【００９２】
画像がフィールド型符号化されたものである場合、インターレースされた画像のトップフィールドは関連する画像ヘッダ６ａ及び関連する画像ヘッダ拡張部６ｂを備える別個の画像ブロック５において符合化される一方、該インターレースされた画像のボトムフィールドも関連する画像ヘッダ６ａ及び関連する画像ヘッダ拡張部６ｂを備える別個の画像ブロック５において符号化され、これら画像ブロック５の各々がトップフィールド及びボトムフィールドの情報を含む。当該画像が予測符号化されたものであれば、トップ参照情報パラメータＲＴ及びボトム参照情報パラメータＲＢは、各々、上述したのと同様に各フィールドに関連していると考えることができ、その場合に、上記参照情報ＲＴ及びＲＢの各々はトップフィールドメモリを参照するか（→Ｔ）、又はボトムフィールドメモリを参照するか（→Ｂ）の何れかであり得る。
【００９３】
通常は、如何なる画像の両フィールドとも同一のタイプのもの、即ち両者ともＩ型又はＰ型又はＢ型符号化されたものである。この場合、オリジナルのビデオシーケンスにおけるイントラ符号化された画像ＸＩ１は、図６ＡにＴＩ１及びＢＩ１として各々示すように、個別にイントラ符号化されたトップフィールドと、個別にイントラ符号化されたボトムフィールドとを有するであろう。
【００９４】
プレーヤ３０は、前述したのと同様に、これらイントラ符号化されたフィールドの両者を続けて出力すると共に、空繰り返し画像ＥＲ２を発生及び出力するように設計することができる。次いで、前述したように、復号及び表示に際して、最初にトップフィールドＴＩ１が表示され、これに、ボトムフィールドＢＩ１の繰り返し表示が続く（図６Ａ参照）。
【００９５】
しかしながら、この発明の本実施例によれば、この構成におけるプレーヤ３０は、イントラ符号化された画像ＸＩ１の第２画像ブロック、即ちイントラ符号化されたボトムフィールドＢＩ１を、トップフィールドメモリへの参照を有するような個別に（フィールド型で）予測符号化された空ボトムフィールドＥＢＰにより置換する。プレーヤ３０により発生される該フィールドが、図６ＢにＥＢＰ（ＲＢ→Ｔ）として示されている。
【００９６】
復号に際し、デコーダ４０は先ずトップフィールドＴＩ１に基づいてトップフィールドを構築する。次いで、プレーヤ３０により発生された個別に（フィールド型で）予測符号化された空ボトムフィールドＥＢＰ（ＲＢ→Ｔ）に基づいて、デコーダ４０は該デコーダのトップフィールドメモリＭＴの内容を繰り返すことにより表示用のボトムフィールドを構築する。この様に、表示される第１画像Ｖ１のボトムフィールドは、図６Ｂに示されるように、トップフィールドＴＩ１と同一となる。このフレームの２つのフィールドが同一であるという事実に鑑み、如何なるインターレース効果も効果的に除去されることは明らかであろう。従って、プレーヤ３０により発生される個別に（フィールド型で）予測符号化された空ボトムフィールドＥＢＰ（ＲＢ→Ｔ）も、“インターレース除去フィールド”として示されるであろう。
【００９７】
図６Ｃは、このインターレース除去フィールドを図５と同様の態様で示している。
【００９８】
この後、デコーダ４０のボトムフィールドメモリＭＢはトップフィールドメモリＭＴと同一の内容を有するであろう。この画像の繰り返し表示のために、プレーヤ３０はＰ型又はＢ型の何れかであって、フレーム型符号化されたか又はフィールド型符号化されたかの何れかの空繰り返し画像ＥＲ２を発生することができ、該画像においてトップフィールド参照情報ＲＴ及びボトムフィールド参照情報ＲＢは上述したように共にボトムフィールドを参照することができるが、これはインターレース除去効果を得るために必要ではない。上記トップフィールドメモリ及びボトムフィールドメモリの内容は同一であるから、斯様な繰り返し画像のトップフィールド参照情報ＲＴはトップフィールドメモリを参照することもできる。事実、トップフィールド参照情報ＲＴ及びボトムフィールド参照情報ＲＢの値は、ここでは無関係である。斯様な繰り返し画像ＥＲ２を復号するのに際し、デコーダ４０は該デコーダのボトムメモリＭＢの内容を２回出力するか、又は、代わりに、該デコーダのトップフィールドメモリの内容に続いて該デコーダのボトムフィールドメモリの内容を各々出力し、これは同一の視覚的結果、即ち、各々が第１画像Ｖ１のトップフィールドと同じ内容ＴＩ１を持つようなトップフィールド画像及びボトムフィールド画像からなる第２画像Ｖ２の表示となる。
【００９９】
この場合にも、表示される全てのフィールドは同一であるので、妨害的な振動する動きは見られないことは明らかであろう。
【０１００】
他の実施例においては、当業者にとり明らかなように、イントラ符号化されたボトムフィールドＢＩ１が、イントラ符号化されたトップフィールドＴＩ１により置換される場合に同一の視覚効果を達成することができる。しかしながら、これは一層多くのビットが関係することになる。
【０１０１】
上記においては、図４Ａないし４Ｃを参照して、元の画像がＩ符号化、Ｐ符号化又はＢ符号化されている場合に関し、これら元の画像に基づいて追加の画像を如何にして発生することができ、これら画像の表示を繰り返すかが説明された。更に、図５Ａないし５Ｃ及び６Ａないし６Ｃを参照して、これらの元の画像がＩ符号化され又はＰ符号化されている場合に関して、あり得るインターレース効果を如何にして効果的に除去することができるかが説明された。上記元の画像がＢ符号化されている場合に関しては、オリジナルのＢ符合化された画像フレームの表示を、インターレース除去繰り返し（プリビュー）画像を用いて繰り返す（又はプリビューする）ことは不可能である。何故なら、前述したように、斯様なＢ符号化画像を繰り返す繰り返し画像は、斯様なＢ符号化画像自体のコピーであるからである。
【０１０２】
本発明は、この問題に対する解決策を、元の（オリジナルの）Ｂ符号化画像フレームがフィールド型符号化されたものである場合に関して提供するものである。斯様な場合、オリジナルビデオシーケンスにおけるＢ符号化画像ＸＢ１は、個別にＢ符号化されたトップフィールドＴＢ１及び個別にＢ符号化されたボトムフィールドＢＢ１を有するであろう。この画像の繰り返しを、インターレース除去を可能にしながら可能にするために、この構成におけるプレーヤ３０は、トップフィールド及びボトムフィールドが同一であって、オリジナル画像のフィールドのうちの一方のコピーであるようなＢ符号化繰り返し（又はプリビュー）画像を発生するように設計されている。該プレーヤ３０は、Ｂ符号化されたオリジナル画像ＸＢ１の第２画像ブロック、即ちＢ符号化されたボトムフィールドＢＢ１を、Ｂ符号化されたトップフィールドＴＢ１のコピーにより置換するように設計することさえできる。
【０１０３】
上記の操作されたＢ符号化画像フレームを復号するに際して、デコーダ４０は先ずオリジナルトップフィールドＴＢ１に基づいてトップフィールドを構築し、次いで、プレーヤ３０により発生されたボトムフィールドＢＢ１に基づいてボトムフィールドを構築するが、該ボトムフィールドは上述したようにオリジナルトップフィールドＴＢ１と同一である。この様に、表示される第１画像Ｖ１のボトムフィールドは、該画像のトップフィールドと同一である。このフレームの２つのフィールドが同一であるという事実に鑑みて、如何なるインターレース効果も効果的に除去されることが明らかであろう。従って、プレーヤ３０により発生される上記の“人工的”ボトムフィールドも、“インターレース除去フィールド”として示される。
【０１０４】
上記においては、本発明をスローモーションの場合に関して、短く言うと、オリジナル画像が２回以上表示される場合に関して詳細に説明した。しかしながら、本発明は、以下に図７Ａを参照して説明するように、高速再生の場合にも適用可能である。
【０１０５】
図７Ａの表における最初の３行はオリジナルビデオシーケンスに関するものである。図７Ａの最初の行は、オリジナルのビデオシーケンスに基づいて表示装置上に表示されたであろう順次の画像を示している。２行目は、表示器上での、上記順次の画像の上記オリジナルシーケンスにおける位置を示している。３行目は、これらのオリジナル画像の画像タイプを示している。
【０１０６】
図７Ａの表における続く行は、上記オリジナルシーケンスに基づいてプレーヤ３０により発生されるトリック再生シーケンスに関するものである。該トリック再生シーケンスはオリジナルのシーケンスよりも少ない画像を含んでいる。事実、該トリック再生シーケンスは幾つかのオリジナルの画像を跳ばすことにより発生される。オリジナルの画像のうちのトリック再生シーケンスを発生させるのに使用される画像、即ちオリジナルシーケンスからの“抽出”が、図７Ａの４行目に矢印により示されている。５行目は当該トリック再生シーケンスにおける画像の位置を示し、６行目は当該トリック再生シーケンスにおける画像により発生される画像を示している。
【０１０７】
図７Ａから、全てのオリジナル画像が表示されるのではないことが明らかであろう。画像が跳ばされた場合、通常再生におけるよりも、速い動きが達成され、高速順送り係数は跳ばされる（スキップされる）画像の数に依存する。本例においては、オリジナルの符号化ビデオシーケンスは１２画像を含むＧＯＰのみを有し、各ＧＯＰはＩＢＢＰＢＢＰＢＢＰＢＢなるフォーマットのものであり、プレーヤ３０は高速順送りトリック再生モードにおいてＩ画像のみを使用し、残りの画像はスキップすると仮定する。抽出されたイントラ符号化画像は、図７Ａの７行目にＸＩ１、ＸＩ２、ＸＩ３等として示されている。
【０１０８】
ビットレートの検討は別にして、斯様なオリジナルビデオシーケンスから抽出されたこれらのイントラ符号化画像のみを有するビデオシーケンスはＴＶスクリーンに送ることができ、結果としての表示は高速順送り係数１２に対応するであろう。
【０１０９】
一層大きな高速順送り係数が所望の場合は、Ｉ符号化画像もスキップすることができる。小さな高速順送り係数又は低いリフレッシュ率でのトリック再生を可能にするために、ビデオプレーヤ３０は空画像Ｅ（空繰り返し画像ＥＲ及び／又は空プリビュー画像ＥＰ及び／又は空補間画像ＥＩ及び／又は空繰り返し／プリビュー画像ＥＲ／Ｐ）を挿入する。デコーダ４０により復号された場合、これらの画像Ｅは、結果として、前のイントラ符号化画像（繰り返し）の又は次のイントラ符号化画像（プリビュー）の又は組み合わせの追加の表示となる。
【０１１０】
図７Ｂは、例示的なトリック再生シーケンスの画像を図示している。図７Ｂの最初の行はオリジナルのシーケンスから抽出されたイントラ符号化画像ＸＩ１、ＸＩ２、ＸＩ３等を示す（図７Ａの７行目にも示されている）。図７Ｂの最初の行は、この例示的なトリック再生シーケンスが、オリジナルのイントラ符号化画像ＸＩ１、ＸＩ２、ＸＩ３等の各々の後に、Ｅｉｊと番号が振られた２つの空画像Ｅを常に含むことを更に示し、ここで、数ｉは先行するオリジナルのイントラ符号化画像ＸＩｉの番号を参照すると共に、数ｊは同一のオリジナル画像を参照する空画像を区別する。この例においては、上記空画像は全て繰り返し画像である。
【０１１１】
この例示的なトリック再生シーケンスの復号に際して表示される画像が、図７Ｂの２行目に示されている。この例示的なトリック再生シーケンスが、結果として、元のシーケンスに対して全体の高速順送り係数が４となることは明らかであろう。
【０１１２】
抽出されたシーケンスへ元の画像の後で挿入される空繰り返し画像Ｅの数が多いほど、より多い回数だけ該元の画像は表示され、高速順送り係数が小さくなるであろう。当業者にとり明らかなように、各画像を異なる回数だけ繰り返すことにより、異なる高速順送り係数を達成することができる。更に、全ての画像が同一の回数だけ繰り返される必要はない。例えば、第１画像が３回表示される一方、第２画像は２回表示される場合は、４．８なる平均高速順送り係数が達成されるであろう。
【０１１３】
スローモーションに関連して前述したのと同様に、トリック再生シーケンスは、繰り返し画像、及びプリビュー画像、及び補間画像、及び繰り返し／プリビュー画像を有することができる。
【０１１４】
画像が繰り返し表示される事実に鑑み、インターレース効果が生じる可能性がある。この問題を克服するために、デジタルビデオプレーヤ３０は、この例示的構成においては、繰り返されるべき各オリジナル画像ＸＩｉの後で、Ｐ符号化されたか又はＢ符号化されたかの何れかの第１空繰り返し画像Ｅｉ１をインターレース除去画像Ｅｉ１（ＲＴ→Ｂ；ＲＢ→Ｂ）として発生するよう設計される。又は、上記イントラ符号化画像ＸＩｉがフィールド型符号化されたものである場合、デジタルビデオプレーヤ３０は、図６Ａ〜６Ｃを参照して前述したように、オリジナルイントラ符号化画像ＸＩｉのオリジナルボトムフィールドを、対応するトップフィールドのコピーにより置換するか、又は代わりにプレーヤ３０により発生された個別に（フィールド型で）予測符号化された空ボトムフィールドＥＢＰ（ＲＢ→Ｔ）により置換するように設計することができる。
【０１１５】
上記においては、高速モーションの場合に関する本発明を、オリジナルシーケンスからＩフレームのみが抽出される場合において例示的に説明した。しかしながら、本発明によれば、オリジナルのＰフレームを使用する、即ち予測符号化されたフレームの表示を繰り返すことも可能である。結局は、前述したように、Ｐフレームが処理された後、デコーダのビデオメモリＭＴ及びＭＢは最後に表示された画像を含んでいるであろう。この画像は空繰り返しフレームをデコーダに送ることにより再び表示させることができ、この空繰り返しフレームをインターレース除去フレームとして構成することにより、前述した通りインターレース効果を除去することができる。
【０１１６】
上記においては、如何にしてデジタルインターフェースを介しての伝送に適したＭＰＥＧ−２符号化ビデオ信号を、受信側装置が一方においてはＭＰＥＧ構文を完全に満足すると共に、他方においては復号及び表示に際してトリック再生に、即ちオリジナルシーケンスの通常の速度とは異なる表示速度となるような信号を受信するように、発生することができるかを説明した。特別な場合はポーズ（一時停止）である。プレーヤが一時停止モードに切り換えられると、当該プレーヤは通常はビデオ信号をインターフェースを介して送るのを停止する。デジタル伝送リンクの場合、斯様な事態は受信側装置を不定状態に入らせる結果となり、斯かる受信側装置に接続された表示器は空白状態になり得る。後に伝送が回復した場合、上記受信側装置は受信された信号を復号することが困難となり得、プレーヤが再生モードに切り換えて戻された後も、当該表示器は、幾らかの間、空白のままとなり得る。
【０１１７】
これらの問題を防止するために、送信側装置（プレーヤ）は、本発明によれば、好ましくはデジタルインターフェースを介して空繰り返し画像の連続したストリームを発生及び送信するように構成され、その場合において、斯様なストリームの少なくとも最初の空画像はインターレース除去画像とする。この場合、受信側デコーダは有効なＭＰＥＧストリームを受信し、当該プレーヤが一時停止モードである限り、静止画像を表示し続けるであろう。
【０１１８】
好ましい構成においては、上記送信側装置は、一時停止モードに切り換えられた場合、イントラ符号化画像まで（平均すると、これは通常０．２５秒未満しか掛からない）通常の再生を続け、次いで空画像の送信を開始する。
【０１１９】
同じ解決策が、別の問題に対しても可能である。プレーヤが静止画モードに切り換えられた場合、表示器が現画像を連続的に表示することがユーザの意図である。通常、これは、プレーヤが記録から１つの画像を連続的に読み出し、読み出されたビデオ信号を連続して送信することにより実行される。特に磁気記録の場合は、これは当該記録を損傷しかねない。更に、Ｉ符号化画像の場合、必要なビットレートは非常に高いが、Ｐ符号化画像の場合は、これらの画像を単純に繰り返すことは不可能である。これらの問題を防止するために、送信側装置（プレーヤ）は、本発明によれば、好ましくは、静止画モードに切り換えられた場合にデジタルインターフェースを介して空繰り返し画像の連続したストリームを発生及び送信するように構成され、その場合において、斯様なストリームの少なくとも最初の空画像はインターレース除去画像とする。この場合、受信側デコーダは有効なＭＰＥＧストリームを受信し、当該プレーヤが静止画モードである限り、静止画を表示し続けるであろう。
【０１２０】
受信側デコーダが空繰り返し画像の連続したストリームのみしか受信しないとしたら、可能性のある伝送エラーから回復することができない。更に受信側デコーダは、該デコーダのフィールドメモリが正しいアンカ情報を含まない限り、空繰り返し画像の連続したストリームのみに基づいては静止画を表示することはできない。プレーヤが一時停止モード又は静止画モードに入った後に、デコーダがスイッチオンされた場合、該デコーダのメモリは空である。これらの問題は、本発明の他の好ましい実施例により、送信側装置（プレーヤ）が、オリジナルストリームからのオリジナルのイントラ符号化画像を上記空繰り返し画像の連続ストリームに時々挿入するように構成されているならば防止することができる。事実、この場合、プレーヤは１つのオリジナルのイントラ符号化画像と所定数の空繰り返し画像とからなる人工的ＧＯＰを発生し、該オリジナルのイントラ符号化画像は全ての斯様な人工的ＧＯＰに対して同一である。このような人工的ＧＯＰは相互に等しい長さを有することができるが、これは必須ではない。即ち、限界内において斯様な人工的ＧＯＰの長さは、所望のランダムアクセス時間及び当該インターフェースを介しての平均ビットレートを考慮して任意に選択することができる。更に、斯様な人工的ＧＯＰにおいては、上記空画像はＰ型のみのものとすることができる。何故なら、Ｂ符号化画像は、未来のアンカ画像が受信され、バッファメモリに記憶された場合にのみ復号することができるからである。
【０１２１】
この様に、本発明は、オリジナルの符号化ビデオシーケンスに基づいてトリック再生に使用するための圧縮されたビデオ信号を発生する方法、及び斯かる方法を実施する装置であって、発生された上記圧縮されたビデオ信号が、復号及び表示に際して、元の速度とは異なる再生速度となる一方、ビット伝送レートは限られたままとなるような方法及び装置を提供するものである。本発明によれば、オリジナルのビデオシーケンスからは限られた数の画像のみが抽出され、これが増加された再生速度となる一方、更に、抽出された各画像は、インターフェース効果が効果的に防止されるように、少なくとも１回繰り返される。画像の繰り返し表示は、発生されたビデオシーケンスに少なくとも１つの空繰り返し又はプリビュー画像を挿入することにより得られる。
【０１２２】
第１実施例においては、再生されるべきオリジナル画像の直後に続く第１繰り返し画像が、共にボトムフィールドメモリを参照するようなトップフィールド参照情報ＲＴ及びボトムフィールド参照情報ＲＢを持つインターレース除去画像であり、結果としてオリジナルのボトムフィールドの繰り返し表示となるが故に、インターレース効果が効果的に防止される。
【０１２３】
第２実施例においては、再生されるべきオリジナル画像のボトムフィールドが、トップフィールドメモリを参照するようなボトムフィールド参照情報ＲＢを持つインターレース除去ボトムフィールドにより置換され、結果としてオリジナルのトップフィールドの繰り返し表示となるが故に、インターレース効果が効果的に防止される。
【０１２４】
当業者にとっては、本発明の範囲が上述した実施例に限定されるものではなく、幾つかの変更例及び修正例が添付請求項に記載した本発明の範囲を逸脱すること無しに可能であることは明らかであろう。例えば、プレーヤ３０は、ユーザが選択された高速順送り係数を入力するのを可能にすると共に、平均して斯様な選択された高速順送り係数を得るために要する繰り返しフレームの数を計算するように設計することもできる。該高速順送り係数は連続的に可変とすることさえできる。
【０１２５】
上記においては、トップフィールドはボトムフィールドの前に表示されると仮定した。当業者にとっては、本発明の空繰り返し画像ＥＲが、前のアンカ画像の最後に表示されたフィールドを繰り返すことは明らかであろう。従って、トップフィールドの前にボトムフィールドが表示された場合は、インターレース除去繰り返し画像ＥＲのトップフィールド参照情報ＲＴ２及びボトムフィールド参照情報ＲＢ２は、共にトップフィールドメモリを参照する。同様のことが、適宜変更を加えて、空プリビュー画像ＥＰにも当てはまる。
【０１２６】
更に、本発明は高速順送りトリック再生の場合に関して説明したが、本発明は順送り再生に限られるものではなく、ここでも多分異なる速度係数での逆送り再生にも等しく適用可能である。
【０１２７】
上記においては、本発明はオリジナルのビデオシーケンスがディスク状媒体上に記録される場合について説明した。斯様なディスク状媒体は磁気記録又は光記録を含むことができる。しかしながら、オリジナルのビデオシーケンスは、例えば磁気テープのような、テープ型の媒体上に記録することもできる。また、プレーヤ３０が、記録を読み取るのを可能にするために、記録のタイプに適合されることも明らかであろう。従って、説明及び請求項において一般的な句“プレーヤ”が使用される場合、この句は磁気ディスクプレーヤ、光ディスクプレーヤ及び磁気テーププレーヤ等をカバーすることを意図するものである。
【０１２８】
上記においては、本発明は、プレーヤから出力された信号が直接表示するためにＴＶ装置へ送出される場合に関して説明された。しかしながら、プレーヤ（図８の１３０）から出力された信号は、如何なる適切な記録媒体１３５上へも、斯かる記録媒体１３５に書き込むように構成された如何なる通常のレコーダ１３３により記録することもできる。この様なレコーダ１３３は別体のレコーダとすることもでき、又はプレーヤ１３０と一体にすることもできる。この様にして記録された圧縮されたデジタルビデオ記録が、何らかの通常のプレーヤにより通常の速度で再生され、ＴＶ装置に伝送される場合、結果としての表示はトリック再生速度での表示となるであろう。
【０１２９】
トリック再生ビデオシーケンスが、通常速度における後の再生が元の速度とは異なる速度での表示となるように発生され且つ記録される場合、プレーヤは元の記録を増加された速度で読み取る必要がなくなる。他の例として、装置（プレーヤ）を、元の記録を通常速度で読み取り、上述したような本発明に従ってトリック再生シーケンスを構築し、該トリック再生シーケンスを適切な媒体上に書き込むように設計することもできる。ここでも、この様にして記録されたトリック再生シーケンスが、何らかの通常のプレーヤにより通常の速度で再生され、ＴＶ装置に伝送される場合、結果としての表示は元のシーケンスの速度とは異なる速度を持つ表示となるであろう。
【０１３０】
この様な場合、元のビデオシーケンスが記録の形で利用することができる必要はない。上記装置は、入力端子２３６において元のビデオ信号を例えば外部プレーヤ等の外部ソース（簡略化のために図示せず）から受信すると共に、トリック再生シーケンスを構築し、且つ、該トリック再生シーケンスをレコーダ２３３を介して適切な媒体２３５上に書き込むように構成された受信機（図８Ｂの２３０）を有することもできる。
【０１３１】
他の例として、上記装置は、入力端３３７においてデジタルビデオ放送を受信するように構成された受信機（図８Ｃの３３０）を有することもできる。上記入力端３３７は図８Ｃにおいては無線放送を受信するアンテナとして示されているが、該入力端３３７はケーブル入力端でもよい。
【０１３２】
上記において、本発明はインターレースフィールド型のビデオ画像に関して説明されたが、本発明は、プログレッシブなビデオにも等しく適用することができ、その場合、勿論上記インターレース効果は何の役割も果たさない。
【図面の簡単な説明】
【０１３３】
【図１】図１は、ＭＰＥＧビデオシーケンスの構造を概念的に示す。
【図２】図２は、デコーダの動作の一態様を概念的に示すブロック図である。
【図３】図３は、デジタルプレーヤを概念的に示す。
【図４Ａ】図４Ａは、本発明によるスローモーションビデオシーケンスの情報を概念的に示す。
【図４Ｂ】図４Ｂも、本発明によるスローモーションビデオシーケンスの情報を概念的に示す。
【図４Ｃ】図４Ｃも、本発明によるスローモーションビデオシーケンスの情報を概念的に示す。
【図５Ａ】図５Ａは、インターレース除去画像を概念的に示す。
【図５Ｂ】図５Ｂも、インターレース除去画像を概念的に示す。
【図５Ｃ】図５Ｃも、インターレース除去画像を概念的に示す。
【図６Ａ】図６Ａは、本発明による方法の第２実施例を概念的に示す。
【図６Ｂ】図６Ｂも、本発明による方法の第２実施例を概念的に示す。
【図６Ｃ】図６Ｃも、本発明による方法の第２実施例を概念的に示す。
【図７Ａ】図７Ａは、本発明による早回しビデオシーケンスの情報を概念的に示す。
【図７Ｂ】図７Ｂも、本発明による早回しビデオシーケンスの情報を概念的に示す。
【図８Ａ】図８Ａは、本発明による装置の別の実施例を概念的に示す。
【図８Ｂ】図８Ｂも、本発明による装置の別の実施例を概念的に示す。
【図８Ｃ】図８Ｃも、本発明による装置の別の実施例を概念的に示す。
【国際公開パンフレット】
2004521559.tif 000003
2004521559.tif 000004
2004521559.tif 000005
2004521559.tif 000006
2004521559.tif 000007
2004521559.tif 000008
2004521559.tif 000009
2004521559.tif 000010
2004521559.tif 000011
2004521559.tif 000012
2004521559.tif 000013
2004521559.tif 000014
2004521559.tif 000015
2004521559.tif 000016
2004521559.tif 000017
2004521559.tif 000018
2004521559.tif 000019
2004521559.tif 000020
2004521559.tif 000021
2004521559.tif 000022
2004521559.tif 000023
2004521559.tif 000024
2004521559.tif 000025
2004521559.tif 000026
2004521559.tif 000027
2004521559.tif 000028
2004521559.tif 000029
2004521559.tif 000030
2004521559.tif 000031
2004521559.tif 000032
2004521559.tif 000033
2004521559.tif 000034
2004521559.tif 000035
2004521559.tif 000036
2004521559.tif 000037
2004521559.tif 000038
2004521559.tif 000039
2004521559.tif 000040
2004521559.tif 000041
2004521559.tif 000042
2004521559.tif 000043
2004521559.tif 000044
2004521559.tif 000045
2004521559.tif 000046
2004521559.tif 000047
【国際調査報告】
2004521559.tif 000048
2004521559.tif 000049
2004521559.tif 000050